(57)【要約】  本発明は、前面に、外面（１１）と内面（１３）とを有するカバープレート（１０）を備えたソーラーモジュール（１）であって、  所定の波長範囲内の光を反射するための光干渉層（１６）が、前記内面（１３）上に配置されており、  前記内面（１３）及び／又は前記外面（１１）が、それぞれ、少なくとも一つのパターン化領域（１５、１５’）を有しており、  前記外面（１１）が、少なくとも一つのパターン化領域（１５）を有するか、又は所定の波長範囲内の光を反射するための別の光干渉層（１６’）が、前記外面（１１）上に配置されているかのいずれかであり、  前記パターン化領域（１５、１５’）が、以下の特徴を有する、ソーラーモジュールに関する：    −  前記パターン化領域（１５、１５’）が、前記カバープレート（１０）の平面に対して垂直に、山と谷とを有する高さプロファイルを有し、ここで、前記山と谷との間の高さの差の平均が、少なくとも２μｍであり、    −  前記パターン化領域（１５、１５’）の少なくとも５０％は、前記カバープレート（１０）の前記平面に対して傾斜する複数のセグメント（１７、１７’）から構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、        −  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
2021532593.tif 000002
【特許請求の範囲】
【請求項１】
外部環境に面する外面（１１）と、反対側の内面（１３）とを有する透明なカバープレート（１０）を備えた、太陽光発電エネルギー生成のためのソーラーモジュール（１）であって、
所定の波長範囲内の光を反射するための光干渉層（１６）が、前記内面（１３）上に配置されており、
前記内面（１３）及び／又は前記外面（１１）が、それぞれ、少なくとも一つのパターン化領域（１５、１５’）を有しており、
前記外面（１１）が少なくとも一つのパターン化領域（１５）を有するか、又は所定の波長範囲内の光を反射するための別の光干渉層（１６’）が前記外面（１１）上に配置されているかのいずれかであり、
前記パターン化領域（１５、１５’）が、以下の特徴を有する、
ソーラーモジュール：
−  前記パターン化領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  前記パターン化領域（１５、１５’）の少なくとも５０％は、前記カバープレート（１０）の前記平面に対して傾斜する複数のセグメント（１７、１７’）から構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
【請求項２】
前記カバープレート（１０）の前記内面（１３）が、パターン化領域を有しておらず、かつ前記外面（１１）が、少なくとも一つのパターン化領域（１５）を有しており、前記外面（１１）上に光干渉層が配置されていない、請求項１に記載のソーラーモジュール（１）。
【請求項３】
前記カバープレート（１０）の前記内面（１３）が、少なくとも一つのパターン化領域（１５）を有しており、かつ前記外面（１１）が、少なくとも一つのパターン化領域（１５’）を有しており、前記外面（１１）上に光干渉層が配置されていない、請求項１に記載のソーラーモジュール（１）。
【請求項４】
前記カバープレート（１０）の前記内面（１３）が、少なくとも一つのパターン化領域（１５）を有しており、かつ前記外面（１１）が、パターン化領域を有しておらず、前記外面（１１）上に光干渉層が配置されていない、請求項１に記載のソーラーモジュール（１）。
【請求項５】
前記カバープレート（１０）の前記内面（１３）が、少なくとも一つのパターン化領域（１５）を有しており、かつ前記外面（１１）が、パターン化領域を有しておらず、前記外面（１１）上に別の光干渉層（１６’）が配置されている、請求項１に記載のソーラーモジュール（１）。
【請求項６】
少なくとも一つの前記光干渉層（１６、１６’）が、正確に１つの屈折層を含み、前記屈折層が、１．７を超え、２．０を超え、又は２．３を超える屈折率ｎを有する、請求項１〜５のいずれか一項に記載のソーラーモジュール（１）。
【請求項７】
少なくとも一つの前記光干渉層（１６、１６’）が、正確に２つの屈折層を含み、第１の屈折率ｎ１を有する第１の屈折層が、屈折率ｎｄを有する前記カバープレート（１０）上に配置されており、かつ第２の屈折率ｎ２を有する第２の屈折層が、前記第１の屈折層上に配置されており、前記屈折率の差の絶対値に下記が適用されている、請求項１〜６のいずれか一項に記載のソーラーモジュール（１）：
｜ｎ１−ｎｄ｜＞０．３  及び  ｜ｎ２−ｎ１｜＞０．３
ここで、屈折率ｎ１及びｎ２のうちの少なくとも一方は、１．９を超え、好ましくは２．３を超える。
【請求項８】
少なくとも一つの前記光干渉層（１６，１６’）が正確に３つの屈折層を含み、第１の屈折率ｎ１を有する第１の屈折層が、屈折率ｎｄを有する前記カバープレート（１０）上に配置されており、第２の屈折率ｎ２を有する第２の屈折層が、前記第１の屈折層上に配置されており、かつ第３屈折率ｎ３を有する第３屈折層が、前記第２屈折層上に配置されており、前記屈折率の差の絶対値に下記が適用されている、請求項１〜７のいずれか一項に記載のソーラーモジュール（１）：
｜ｎ３−ｎ２｜＞０．３、｜ｎ２−ｎ１｜＞０．３、及び｜ｎ１−ｎｄ｜＞０．３、
ここで、屈折率ｎ１、ｎ２、及びｎ３のうちの少なくとも一つは、１．９を超え、好ましくは２．３を超え、ここで、以下が適用されている：
（ｉ）ｎ１＞ｎ２、及びｎ３＞ｎ２、又は（ｉｉ）ｎ１＜ｎ２、及びｎ３＜ｎ２。
【請求項９】
前記パターン化領域（１５、１５’）の少なくとも８０％が、前記カバープレート（１０）の前記平面に対して傾斜した前記セグメント（１７、１７’）から構成されている、請求項１〜８のいずれか一項に記載のソーラーモジュール（１）。
【請求項１０】
（ｉ）前記セグメント（１７、１７’）の少なくとも３０％が、０°を超えて最大１５°までの範囲の傾斜角を有し、前記セグメント（１７、１７’）の少なくとも４０％が、１５°を超えて最大４５°までの範囲の傾斜角を有し、かつ前記セグメント（１７、１７’）の１０％未満が、４５°を超える傾斜角を有するか、又は
（ｉｉ）前記セグメント（１７、１７’）の少なくとも４０％が、０°を超えて最大１５°までの範囲の傾斜角を有し、前記セグメント（１７、１７’）の少なくとも５０％が、１５°を超えて最大４５°までの範囲の傾斜角を有し、かつ前記セグメント（１７、１７’）の１０％未満が、４５°を超える傾斜角を有する、
請求項１〜９のいずれか一項に記載のソーラーモジュール（１）。
【請求項１１】
少なくとも一つの前記光干渉層（１６、１６’）が、ＴｉＯＸ、ＺｒＯＸ、ＳｉＣ、及びＳｉ３Ｎ４から選択された少なくとも一つの化合物を含む、請求項１〜１０のいずれか一項に記載のソーラーモジュール（１）。
【請求項１２】
前記山と谷との間の高さの差の平均が、少なくとも５０μｍ、又は少なくとも１００μｍである、請求項１〜１０のいずれか一項に記載のソーラーモジュール（１）。
【請求項１３】
前記カバープレート（１０）が、５０％を超え、特に９０％を超える反射ヘイズを有する、請求項１〜１２のいずれか一項に記載のソーラーモジュール（１）。
【請求項１４】
少なくとも一つのパターン化領域（１５、１５’）を有し、かつ黒色の裏面を備えた、コーティングされていない前記カバープレート（１０）が、４５°及び１５°の視野角、並びにそれぞれの視射角から４５°ずれた入射角で、少なくとも１０、少なくとも１５、又は少なくとも２０の反射光の明度Ｌが生じるように実施されている、請求項１〜１３のいずれか一項に記載のソーラーモジュール（１）。
【請求項１５】
以下の工程を含む、請求項１〜１４のいずれか一項に記載のソーラーモジュール（１）の製造方法：
（ａ）外部環境に面することを意図した外面（１１）と、反対側の内面（１３）とを有する透明なカバープレート（１０）を提供すること；
（ｂ１）少なくとも一つの領域（１５）において前記外面（１１）をパターニングし、かつ前記内面（１３）上に光干渉層（１６）を適用すること、又は
（ｂ２）少なくとも一つの領域（１５）において前記外面（１１）をパターニングし、少なくとも一つの領域（１５’）において前記内面（１３）をパターニングし、かつ前記内面（１３）のパターン化した前記領域（１５’）上に光干渉層（１６）を適用すること、又は
（ｂ３）少なくとも一つの領域（１５）において前記内面（１３）をパターニングし、かつ前記内面（１３）のパターン化した前記領域（１５）上に光干渉層（１６）を適用すること、又は
（ｂ４）少なくとも一つの領域（１５）において前記内面（１３）をパターニングし、前記内面（１３）のパターン化した前記領域（１５）上に光干渉層（１６）を適用し、かつ前記外面（１１）上にさらなる光干渉層（１６’）を適用すること；
ここで、パターン化した前記領域（１５、１５’）は、以下の特徴を有する：
−  パターン化した前記領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  パターン化した前記領域（１５、１５’）の少なくとも５０％は、前記カバープレート（１０）の前記平面に対して傾斜する複数のセグメント（１７、１７’）で構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
【請求項１６】
建物外面又は独立壁の統合部品としての、特に、ウィンドウ、ファサード、又はルーフの構成要素としての、請求項１〜１４のいずれか一項に記載の着色ソーラーモジュール（１）の使用。
【発明の詳細な説明】
【技術分野】
【０００１】
本発明は、太陽光発電エネルギー生成の技術分野にあり、パターン化したカバープレートと少なくとも一つの光干渉層とを備えたソーラーモジュールに関する。本発明は、さらに、本発明によるソーラーモジュールを製造するための方法並びにこのソーラーモジュールの使用に及ぶ。
【背景技術】
【０００２】
壁又はファサードの構成要素としてのソーラーモジュールの使用は、現在、依然として経済的には比較的小さな市場であるが、環境保護の観点からは非常に興味深い市場である。特に、分散型エネルギーソリューションやエネルギー・ニュートラル・ビルへの取り組みが強化されたことを踏まえ、ソーラーモジュールを建物外面の一体化部品として使用する要求が高まっている。ソーラーモジュールの他の興味深い適用領域は、ノイズ低減壁（道路、鉄道）、屋外のプライバシー障壁、又は温室の壁である。これらの新しい用途は、特に美観、耐用年数、及び封止や断熱などのような他の機能の点で、ソーラーモジュールに全く新しい要求を与える。特に、このために使用されるソーラーモジュールは、様々な形状、サイズ、及び色で利用可能でなければならず、かつ可能な限り最も均一な色印象を与えなければならない。色の由来（吸収／再発光、干渉、屈折）に応じて、ソーラーモジュールそれ自身の均一な表面の色は、視野角及び／又は入射角に依存し得る。さらに、光のスペクトルと物理的分布（拡散、集束）も色の印象を決定する。
【０００３】
これらの新しい用途は、特に美観、耐用年数、及び封止や断熱のような他の機能の点で、太陽電池モジュールに全く新しい要求を与える。特に、このために使用されるソーラーモジュールは、様々な形状、サイズ、及び色で利用可能でなければならず、可能な限り最も均一な色印象を与えなければならない。しかしながら、ソーラーモジュールに対するこれらの要求は、ソーラーモジュールの実際の機能、すなわち、太陽光からの電力を最も効率的に可能な限り生成することと矛盾する技術的問題を引き起こす。
【０００４】
理想的なソーラーモジュールは、効率の最適化の観点から、入射光を完全に吸収する黒体であり、それによって、放射エネルギーを電気エネルギーに最適に変換するようになっている。しかしながら、入射した放射線が、実際の物体ごとに反射され、かつ吸収された放射線が再放射され、ここで、スペクトル的に選択された光の反射と再発光によって、人間の目にその色印象が基本的に形成される。可視スペクトル範囲において、太陽スペクトルは最も高いエネルギー強度を有しており、かつ人間の目は最も高い検出感度を有する。ソーラーモジュールを着色したものとして設計するとき、言い換えれば、理想的な黒体とは異なる色印象を人間の目に作り出すことが意図されているとき、光学的に活性な半導体に吸収される光の強度、ひいては、ソーラーモジュールの電気出力又は効率は、必然的に低下する。最適な効率は、原理的には黒色ソーラーモジュールでのみ達成することができる。一方で、色の由来（吸収／再発光、干渉、屈折）に応じて、ソーラーモジュールそれ自身の均一な表面の色は、視野角及び／又は入射角に依存し得る。さらに、光のスペクトルと物理的分布（拡散、集束）も色の印象を決定する。
【０００５】
国際公開第２０１４／０４５１４２号には、所定のスペクトル範囲の太陽光を反射する、前面ガラスの内側の多層干渉層が記載されている。このような多層干渉層は、製造するのに非常に高価であり、したがって、工業的利用には限られた適合性しか有さない。また、多層干渉層とカバーガラスの粗面化した側とが、カバーガラスの異なる側（内側に多層干渉層；外側を粗面化）に位置する、散漫（拡散）散乱するカバーガラスの任意の使用も提示されている。
【０００６】
また、チョウの構造に類似したナノ構造を生成する生体工学的方法の使用も知られている（参照：Ｆｒａｕｎｈｏｆｅｒ，Ｂｌａｅｓｉら、第３３回欧州太陽光発電エネルギー会議及び展示会（３３ｒｄ  Ｅｕｒｏｐｅａｎ  ＰＶ  Ｓｏｌａｒ  Ｅｎｅｒｇｙ  Ｃｏｎｆｅｒｅｎｃｅ  ａｎｄ  Ｅｘｈｉｂｉｔｉｏｎ）、２０１７年９月２４日〜２９日、オランダ、アムステルダム）。これらの方法はかなり複雑でコスト集約的であり、大面積のソーラーモジュールの工業的な連続生産にはいまだ適していない。
【０００７】
さらに、セラミックスクリーン印刷によるカバーグレージング、又は有機ガラス色の使用による色の適用が知られている。これらは比較的安価な技術であり、色の幅広いスペクトルを生成することもできる。加えて、色印象は、限られた範囲でのみ角度依存性である。しかしながら、そのようなカラー層は、原則として、不透明であり、かつ効率損失が不可避的に高くなるように光を吸収する。これは、許容できない効率損失を一般にもたらす明るい色調について特に当てはまる。
【発明の概要】
【発明が解決しようとする課題】
【０００８】
その一方で、本発明の目的は、着色したソーラーモジュールを利用可能にすることにあり、ここで、その色が、視野角及び入射角にできるだけ依存しないものとすべきである。そうでなければ、建物一体型の範囲での使用について、その色が、観察者の位置又は太陽の位置に強く依存することになるからである。さらに、顧客が望む各色に対して、ソーラーモジュールの効率損失はできるだけ小さいものでなければならない。工業的な連続生産のためには、ソーラーモジュールが、許容可能なコストで、かつ満足のいく均質性を有しながら、広い面積で生産可能であることも重要である。
【課題を解決するための手段】
【０００９】
これらの目的及び他の目的は、特許請求の範囲によるソーラーモジュール及びその製造方法によって、本発明の提案にしたがって達成される。本発明の有利な実施形態は、従属請求項の特徴によって示される。
【００１０】
本発明によって、直列に電気的に接続した太陽電池を有する、太陽光発電エネルギー生成のためのソーラーモジュールを提示する。原理的には、本発明によるソーラーモジュールは、任意のタイプのソーラーモジュール、特に、ウェハーベースの、シリコンベースソーラーモジュール又はモノリシックに一体化した直列接続した太陽電池を有する薄膜ソーラーモジュールとすることができる。
【００１１】
好ましくは、本発明によるソーラーモジュールは、薄膜ソーラーモジュールである。有利には、このソーラーモジュールは、熱可塑性又は架橋性ポリマー中間層（例えば、ＰＶＢ又はＥＶＡ）によって互いにしっかりと結合した前面の透明カバープレートと背面基板（例えば、ガラスプレート）とを有する、複合ペイン構造を有する薄膜ソーラーモジュールである。本発明は、特に、太陽電池を製造するための層構造が、光入射側に面した背面基板の表面に適用されている、サブストレート構造（下側基材）の薄膜ソーラーモジュールに関する。同様に、本発明は、層構造が、光の入射側とは反対側を向いた前面の透明カバープレートの表面に適用されている、スーパーストレート構造（上側基材）の薄膜ソーラーモジュールに関する。
【００１２】
用語の一般的使用を踏まえて、「薄膜ソーラーモジュール」という用語は、十分な機械的安定性のためにキャリアを必要とする、例えば数マイクロメートルの薄い厚さの層構造を有するモジュールを指す。キャリアは、例えば、無機ガラス、プラスチック、金属、又は金属合金でできていてよく、それぞれの層の厚さ及び特定の材料特性に応じて、剛性プレート又は可撓性フィルムとして設計することができる。
【００１３】
薄膜ソーラーモジュールの場合、層構造は、それ自体公知の方法で、背面電極層、前面電極層、及び背面電極層と前面電極層との間に配置された光起電活性吸収体層を含む。層構造への光の通過を可能にしなければならないので、前面電極層は光学的に透過性である。光学的に透過性の前面電極層は、典型的には、ドープした金属酸化物（ＴＣＯ＝透明導電性酸化物）を含むか又はそれでできており、例えば、ｎ−導電性酸化物、特に、アルミニウムドープされた酸化亜鉛（ＡＺＯ）を含むか又はそれでできている。
【００１４】
光起電活性吸収体層は、好ましくは、黄銅鉱型半導体を含むか又はこれでできており、有利には、銅インジウム／ガリウムジスルフィド／ジセレニド（Ｃｕ（Ｉｎ，Ｇａ）（Ｓ，Ｓｅ）２）の群からのＩ−ＩＩＩ−ＶＩ−三元化合物半導体を含むか又はこれでできている。上記式において、インジウム及びガリウムは、それぞれ単独で又は組み合わせて存在することができる。硫黄及びセレンについても同様であり、これらはそれぞれ単独で又は組み合わせて存在することができる。吸収体層の材料としては、特に、ＣＩＳ（銅インジウムジセレニド／ジスルフィド）又はＣＩＧＳ（銅インジウムガリウムジセレニド、銅インジウムガリウムジスルフィド、銅インジウムガリウムジスルホセレニド）が適している。吸収体層は、典型的には、第一の導体タイプ（電荷キャリアタイプ）のドーピングを有し、かつ前面電極は、逆の導体タイプのドーピングを有する。一般的に言えば、吸収体層は、ｐ−導電性（ｐ−ドープ）であり、すなわち、欠陥電子（ホール）が過剰に存在し、かつ前面電極層は、ｎ−導電性（ｎ−ドープ）であり、自由電子が過剰に存在するようになっている。バッファー層は、通常、吸収体層と前面電極層との間に配置する。これは、特に、Ｃｕ（Ｉｎ，Ｇａ）（Ｓ，Ｓｅ）２に基づく吸収体層に対して当てはまり、このため、一般的に言えば、ｐ−導電性Ｃｕ（Ｉｎ，Ｇａ）（Ｓ，Ｓｅ）２吸収体層と、ｎ−導電性前面電極との間にバッファー層が必要となる。現在の理解によれば、バッファー層は、吸収体と前面電極との間の電子的適合を可能にする。さらに、バッファー層は、例えば、ＤＣマグネトロンスパッタリングによる前面電極の堆積の後続のプロセス工程におけるスパッタリング損傷に対する保護を提供する。ｎ−導電性前面電極層、バッファー層、及びｐ−導電性吸収体層の連続によって、ｐ−ｎ−ヘテロ接合が形成され、言い換えれば、逆の導体タイプの層間の接合が形成される。光起電活性吸収体層は、例えば、テルル化カドミウム（ＣｄＴｅ）、又はアモルファスの及び／又は微結晶性のシリコンでできていてもよい。
【００１５】
薄膜ソーラーモジュールでは、ゾーンをパターニングすることによって、直列接続した太陽電池を形成する。したがって、少なくとも背面電極層は、第１のパターニングライン（Ｐ１ライン）によって、互いに完全に分離された複数の部分に分割されており、これらの部分が太陽電池の背面電極を形成する。また、少なくとも吸収体層は、第２のパターニングライン（Ｐ２ライン）によって、互いに完全に分離された複数の部分に分割され、これらの部分が太陽電池の吸収体を形成し、かつ少なくとも前面電極層は、第３のパターニングライン（Ｐ３ライン）によって、互いに完全に分離された複数の部分に分割され、これらの部分が、太陽電池の前面電極を形成する。隣り合う太陽電池は、第２のパターニングラインにおける導電性材料を介して直列接続で互いに電気的に接続しており、ここで、一の太陽電池の前面電極は、隣り合う太陽電池の背面電極に電気的に接続しており、典型的には、ただし必須ではないが、隣り合う太陽電池の背面電極と直接物理的に接触している。各パターニングゾーンは、それぞれ、この順序で、３つのパターニングラインＰ１−Ｐ２−Ｐ３の直接的な連続を含んでいる。
【００１６】
用語の一般的使用を踏まえて、「太陽電池」との用語は、前面電極、光起電活性吸収体、及び背面電極を有し、互いに直接隣り合う２つのパターニングゾーンによって画定される層構造の領域を指す。これは、類推によってモジュールの縁部領域にもあてはまり、ここでは、パターニングゾーンの代わりに、太陽電池の直列接続と電気的に接触するための接続部分が存在し、それによって、パターニングゾーンと直接隣り合う接続部分との間に位置する、前面電極、吸収体、及び背面電極を有する層領域によって、太陽電池が画定されるようになっている。各太陽電池は、互いに重ねて配置した積層体の形態で、背面電極、吸収体、及び前面電極を有し、かつ光を電流に光電変換することができる光学的活性領域を有している。
【００１７】
本発明によるソーラーモジュールは、光入射側又は前面の透明カバープレートを備えており、このカバープレートは、外部環境に面する外面と、外面と反対側の内面とを有する。カバープレートの外面は、ファサードにおけるファサード構成要素が取り付けられた状態で、外部環境に面しており、かつ任意選択でその上に適用された層とともに、ファサードの外側又は外面の一部を形成する。本発明の一実施形態によれば、カバープレートは、一つの同じ材料、例えば、ガラス又はプラスチック、好ましくはソーダ石灰ガラスでできている。好ましくは、カバープレートは、硬質ガラス又はプラスチックプレートである。この場合、カバープレートの外面又は内面は、カバープレートの各材料から形成される。本発明の代替の実施形態によれば、カバープレートは、少なくとも二つの異なる材料でできており、ここで、カバープレートの外面及び／又は内面は、カバープレートのコアとは異なる材料から形成される。カバープレートのコアは、好ましくは、一つの同じ材料、例えば、ガラス又はプラスチック、好ましくはソーダ石灰ガラスでできている。カバープレートのコア、外側、及び／又は内側には、例えば、コーティングの形態で、カバープレートのコアとは異なる材料が適用され、この材料は、透明であり、かつカバープレートのコアの材料と同じ光屈折率を有する。この場合、カバープレートの外面又は内面は、カバープレートのコアに適用されるそれぞれの材料によって形成される。本発明によれば、カバープレートを形成する材料が透明であり、かつ一つの同じ光屈折率を有するという条件で、「カバープレート」との用語は、「複合体」も含む。
【００１８】
好ましくは、カバープレートは、湾曲を有しておらず、したがって、平面（平坦）である。しかしながら、カバープレートは湾曲していてもよい。さらに、カバープレートは、剛性であっても、又は可撓性であってもよい。可撓性カバープレートの形態では、カバープレートを平面形態で効果的に設けることができる。平坦な（平面の）カバープレートの場合には、カバープレートそれ自体が平面を画定し、本発明に関して、この平面は、「カバープレートの平面」を意味する。湾曲したカバープレートの場合には、「カバープレートの平面」との用語にも該当する局所面は、この平面の任意の点における（仮想の）平坦な接線面によって画定することができる。
【００１９】
本発明に関して、「透明（性）」又は「透過性」という用語は、少なくとも８５％、特に少なくとも９０％、好ましくは少なくとも９５％、特に１００％の可視光透過率を指す。典型的には、可視光は、３８０ｎｍ〜７８０ｎｍの波長範囲にある。「不透明（性）」又は「不透過性」という用語は、５％未満、特に０％の可視光透過率を指す。この百分率のデータは、外部周囲から前面カバープレートに当たる光の強さに対する、前面カバープレートのモジュール内部側で測定した光の強さを指す。カバープレートの透過性は、測定配置を用いた簡単な方法で決定することができ、ここで、例えば、白色光源（可視光用の光源）を前面カバープレートの一方の側に配置し、可視光用の検出器を前面カバープレートの他方の側に配置する。光屈折率について以下で言及する値は、常に、３８０ｎｍ〜７８０ｎｍの可視波長範囲における光屈折率を指す。
【００２０】
本発明によるソーラーモジュールは、白色光によるモジュール外側の照明中に、特に太陽光による照明中に、観察者に少なくとも一つのモジュール部分における均一な色印象を与え、言い換えると、このソーラーモジュールは、モジュール部分において着色している。表面全体に均一な色の印象を持つ太陽電池モジュールは、特に魅力的であると考えられる。ソーラーモジュールの色は、３つの色座標Ｌ＊、ａ＊、ｂ＊によって記述することができ、この色座標は、当業者にそれ自体知られている（ＣＩＥ）Ｌ＊ａ＊ｂ＊色空間を指し、ここで、知覚可能な色はすべて正確に定義される。この色空間は、欧州規格ＥＮ  ＩＳＯ  １１６６４−４「比色分析（Ｃｏｌｏｒｉｍｅｔｒｙ）−Ｐａｒｔ  ４：ＣＩＥ  １９７６  Ｌ＊ａ＊ｂ＊色空間」に明記されており、その全体を本発明の明細書で参照する。（ＣＩＥ）Ｌ＊ａ＊ｂ＊色空間では、各色を、３つのデカルト座標（直交座標）Ｌ＊、ａ＊、ｂ＊を持つ色の位置によって定義する。緑と赤は、ａ＊軸上で互いに反対側にあり；ｂ＊軸は、青と黄の間をはしっており；Ｌ＊軸は、色の明度（輝度）を表す。より明確な表現のために、これらの値をＬｈｃ色空間に変換することができ、ここで、Ｌは、同様に明度であり、ｃは、半径内の範囲の彩度であり、かつｈは、ａ＊ｂ＊面内の色点の角度（色相角）である。
【００２１】
ソーラーモジュールの色は、外部環境からのソーラーモジュールの観察に基づくものであり、言い換えれば前面カバープレートを見ることに基づいている。ソーラーモジュールの比色分析又は色座標の決定は、市販の比色計（分光光度計）によって簡単な方法で行うことができる。この目的のために、分光光度計を前面カバープレートの外面に向け、特に外面に配置する。一般的な分光光度計は、標準に準拠した色測定を可能にし、その構造及び公差は、例えば、ＤＩＮ  ５０３３、ＩＳＯ／ＣＩＥ  １０５２７、ＩＳＯ  ７７２４、及びＡＳＴＭ  Ｅ１３４７によって定義されている国際規格に一般的に従う。例として、色測定に関して、規格ＤＩＮ  ５０３３の全体を参照する。分光光度計は、例えば、光源として、キセノンフラッシュランプ、タングステンハロゲンランプ、又は一つ若しくは複数のＬＥＤを有し、これによって、物体の外面を生成した光（例えば、白色光）で照射し、かつソーラーモジュールから受け取った光を測定する。序論で説明したように、比色計で測定した物体の色は、ソーラーモジュールで反射しかつ再発光した光に起因するものである。
【００２２】
本発明によるソーラーモジュールが、少なくとも一つの部分において、比較的角度依存性の少ない均一な色を有することを確実にするために、所定の波長範囲内又は事前に規定することができる波長範囲内で光を反射するための着色した光干渉層を、カバープレートの内面に配置する。好ましくは、光干渉層をカバープレートの内面上に直接（別の中間層を伴わずに）配置する。さらに、カバープレートの内面及び／又は外面は、それぞれ、少なくとも一つのパターン化領域を有しており、ここで、外面が少なくとも一つのパターン化領域を有するか、あるいは（すなわち、択一的に）所定の波長範囲内又は事前に規定することができる波長範囲内で光を反射するためのさらなる光干渉層が外面に配置されているかのいずれかが条件となる。光干渉層は、好ましくは、カバープレートの外面に（別途の中間層を伴わずに）直接配置する。このことは、外面が少なくとも一つのパターン化領域を有するとき、外面上には光干渉層が配置されていないことを意味する。上記で説明したように、本発明のすべての実施形態に共通して、光は、少なくとも一度はカバープレートを通過し、かつ内側の干渉層上で反射されなければならず、それによって、改善した角度安定性を有する所望の色度を達成するようになっている。
【００２３】
各光干渉層は、単層又は多層で実施することができ、言い換えれば、一つ又は複数の光屈折層（屈折層）を有することができる。光干渉層の様々な界面で反射する光の建設的干渉又は相殺的干渉が可能であるようにして光干渉層を実施しながら、光干渉層は、ソーラーモジュールの色を生成する役割を果たす。ソーラーモジュールの色は、光干渉層の界面で反射した光の干渉から生じる。（白色）光、特に太陽光による照明の際に、光干渉層は、均一な色を生成するためのカラーフィルターとして作用する。例えば、青みがかった黒色を有する光起電活性太陽電池（ＣＩＧＳ薄膜太陽電池）は、ソーラーモジュールの全体的な色に寄与することができる。
【００２４】
好ましくは、外面のパターン化領域が、カバープレート全体にわたって、すなわち、カバープレートの外面全体にわたって延在し、それによって、ソーラーモジュールが均一な色を有するようになっている。ソーラーモジュールはまた、各々が均一な色を有するモジュールの複数の区分を有することができる。このモジュールの区分の色は、同じであってもよく、又は互いに異なるものであってもよい。
【００２５】
少なくとも一つのパターン化領域は、カバープレートの平面に対して垂直に、山（隆起）と谷（くぼみ）とを有する高さプロファイルを有し、山と谷との間の高さの差の平均は、少なくとも２μｍであり、好ましくは、ただし必須ではないが、透明カバープレートの厚さの最大２０％である。また、外面のパターン化領域の少なくとも５０％は、異なる傾斜の複数のセグメント又はファセットから構成されている。このセグメントは、外部環境に向けられたカバープレートの表面の部分であり、それぞれ、カバープレートの平面に対して傾斜した平坦な面として実施されている。ここで、セグメントの少なくとも２０％は、カバープレートの平面を基準にして、０°を超えて最大１５°までの範囲の傾斜角を有し、セグメントの少なくとも３０％は、１５°を超えて最大４５°までの範囲の傾斜角を有する。有利には、しかし必須ではないが、セグメントの３０％未満が４５°を超える傾斜角を有する。パターンは、好ましくは、周期的ではなく、異方性である。しかしながら、特殊な光学効果のために、周期的パターンと異方性パターンとを使用することができる。
【００２６】
内面が、少なくとも一つのパターン化領域を有する場合、内面のパターン化領域のセグメントは、それぞれ平坦であり、少なくとも１μｍ２のセグメント面積を有し、かつ内面上の光干渉層の層厚の１５％未満の平均粗さを有する。光干渉層が複数の屈折層からなる場合、少なくとも一つのゾーンのセグメントは、それぞれ、最小の層厚を有する屈折層の層厚の１５％未満の平均粗さを有する。セグメントがそれぞれ、光干渉層の層厚の１５％未満の平均粗さを有するゾーンは、パターン化領域に相当し得る。すなわち、このとき、このゾーンとパターン化領域とは同一である。原則として、セグメントの粗さについての条件は、光干渉層がパターン化領域上に配置された場合にのみ満たす必要がある。これは、内面の少なくとも一つのパターン化領域にのみ適用される。外面が少なくとも一つのパターン化領域を有するか、あるいは外面に光干渉層を配置するが、外面のパターン化領域には光干渉層が配置されていないかのいずれかであるので、外面が少なくとも一つのパターン化領域を有する場合は、パターン化領域のセグメントの粗さについては何ら必須の条件はない。
【００２７】
したがって、内面が少なくとも一つのパターン化領域を有する場合について、パターン化領域は、複数の平坦（平面）セグメントを有する。本発明に関して、平坦な（平面の）セグメントは、非湾曲面によって形成することができる。しかしながら、平坦（平面）セグメントをわずかに湾曲した表面によって形成することも可能である。本発明に関して、セグメントの各点において次のことが当てはまるとき、セグメントはわずかに湾曲している。すなわち、セグメントのある点において、１μｍ２の面積を有する（仮想）接平面が構成される場合に、接平面に対する法線方向に基づくセグメントの面と接平面との間の間隔は、５０ｎｍ未満である。
【００２８】
本発明に関して、「パターニング」又は「パターン化領域」との用語は、カバープレートの外面又は内面の領域を指し、この領域では、上記の段落に記載した特徴が組み合わせて存在する。
【００２９】
パターン化領域の特徴によって、視射角外から見ても、カバープレートに光を照射すると、光が比較的高い強度で反射されることを有利に保証することができる。その理由は、十分な数、適切なサイズ、及び適切な傾斜角度で存在する、異なる傾斜のセグメントが、視射角以外で見ても、反射光の高い強度を可能にするためである。外側にパターニングを有する場合のセグメント上の屈折によって、かつ内側にパターニングを有する場合のセグメント上の反射によって、カバープレートの視射角外の方向に十分な強度で光を散乱する、十分に傾斜したセグメントが常に存在する。
【００３０】
視射角では、カバープレートの平面に対して、入射光線の入射角が反射光線の反射角に相当する、という条件が適用される。ここで、及び以下で使用するように、「視射角」という用語は、セグメントの平面に対する法線を指す「局所視射角」とは区別して、カバープレートの平面に対する法線を指す。視射角と局所視射角とを等しくすることができるが（セグメントはカバープレートの平面に平行である）、しかしながら、一般的に言えば、視射角と局所視射角とは異なっている（セグメントはカバープレートの平面に対して傾斜している）。
【００３１】
その結果、視射角に反射しない（すなわち、散乱する）光の強度が比較的高く、かつこのようなパターン化領域のない反射面と比較して、入射方向及び見る方向に対して、ほとんど角度依存性を有さないことを達成することができる。光干渉層によって、視射角以外で反射される光が、光干渉層の屈折率及び層厚に応じて色選択を受け、それによって、カバープレートの表面が、比較的角度依存性の少ない均一な色を有することができるようになっている。
【００３２】
この点に関して、有利には、パターン化領域は、山と谷との間の高さの差の平均が、少なくとも２μｍ、好ましくは少なくとも１０μｍ、特に好ましくは少なくとも１５μｍである高さプロファイルを有する。このようなパターン化領域は、カバープレート（例えば、カバーガラス）のエッチングによって作り出すことができる。この点に関して、同様に有利には、パターン化領域は、山と谷との間の高さの差の平均が、少なくとも５０μｍ、好ましくは少なくとも１００μｍである高さプロファイルを有する。このようなパターン化領域は、カバープレート（例えば、カバーガラス）の圧延（ローリング）によって作り出すことができる。したがって、本発明は、有利には、カバープレートの少なくとも一つのパターン化領域を、エッチング又は圧延（ローリング）によって形成し、それによって上述した高さプロファイルを形成することができるソーラーモジュールを提供する。しかしながら、このパターンは、カバープレート上に、透明でありかつパターン化した層を適用することによっても作り出すことができる。この層は、カバープレートと同じ（又は少なくとも非常に類似した）屈折率を有していなければならない。本発明によれば、カバープレートの表面のパターニングは、そのような透明でありかつパターン化した層を適用することも含むべきである。
【００３３】
カバープレートのパターン化領域の上述した特性は、顕微鏡、特に共焦点顕微鏡又はスタイラスプロフィロメータのような通常の測定装置によって測定することができる。
【００３４】
好ましくは、（それぞれカバープレートの平面に対する法線に基づく）４５°及び１５°の視野角、及びそれぞれの視射角から（両方向に）４５°ずれた入射角で、本発明によるソーラーモジュールの（コーティングされていない）カバープレートの少なくとも一つのパターン化領域によって、少なくとも１０の反射光の明度Ｌを生じさせることを保証する。好ましくは、少なくとも１５、より好ましくは少なくとも２０の反射光の明度Ｌが生じる。この測定時に、黒色のカバーを、特徴付ける側とは反対側を向いた（コーティングされていない）カバープレートの側に取り付ける。測定にはＤ６５光源を使用し、明度Ｌを市販のマルチアングル分光計（開口角１０°）で測定する。測定のための設定は、図１１に関連して以下で詳細に説明する。これに関しては、ヨーロッパ規格ＥＮ  ＩＳＯ  １１６６４−４の全体を参照するものとする。
【００３５】
したがって、本発明は、外部環境に面する外面と、反対側の内面とを有する透明なカバープレートを備えた、太陽光発電エネルギー生成のためのソーラーモジュールを提供し、
ここで、所定の波長範囲内の光を反射するための光干渉層が内面に配置されており、
内面及び／又は外面は、それぞれ、少なくとも一つのパターン化領域を有しており、
外面が少なくとも一つのパターン化領域を有するか、又は所定の波長範囲内の光を反射するためのさらなる光干渉層が外面上に配置されているかのいずれかであり、
このパターン化領域が以下の特徴を有する、
ソーラーモジュールを提供する：
−  パターン化領域が、カバープレートの平面に対して垂直に、山と谷とを有する高さプロファイルを有し、ここで、この山と谷との間の高さの差の平均が、少なくとも２μｍであり、
−  パターン化領域の少なくとも５０％は、カバープレートの平面に対して傾斜する複数のセグメントから構成されており、カバープレートの平面を基準にして、このセグメントの少なくとも２０％が、０°を超えて最大１５°までの範囲の傾斜角を有し、かつこのセグメントの少なくとも３０％が、１５°を超えて最大４５°までの範囲の傾斜角を有し、ここで、
−  内面が少なくとも一つのパターン化領域を有するときに、この内面のパターン化領域のセグメントは、それぞれ平坦であり、少なくとも１μｍ２のセグメント面積を有し、かつこの内面上の光干渉層の層厚の１５％未満の平均粗さを有する。
【００３６】
ここで、黒色の裏面を備えるパターン化した、コーティングされていないカバープレートは、（それぞれ、カバープレートの平面に対する法線に基づいて）４５°及び１５°の視野角、及びそれぞれの視射角から（両方向に）４５°ずれた入射角で、少なくとも１０、少なくとも１５、又は少なくとも２０の反射光の明度Ｌが生じるように実施することが有利である。
【００３７】
同様に、本発明は、外部環境に面する外面と、反対側の内面とを有する透明なカバープレートを備えた、太陽光発電エネルギー生成のためのソーラーモジュールを提供し、ここで、所定の波長範囲内の光を反射するための光干渉層が内面に配置されており、内面及び／又は外面は、それぞれ、少なくとも一つのパターン化領域を有しており、外面が少なくとも一つのパターン化領域を有するか、又は所定の波長範囲内の光を反射するためのさらなる光干渉層が外面上に配置されているかのいずれかであり、ここで、黒色の裏面を備え、かつ少なくとも一つのパターン化領域を有する、コーティングされていないカバープレートを、（それぞれ、カバープレートの平面に対する法線に基づいて）４５°及び１５°の視野角、及びそれぞれの視射角から（両方向に）４５°ずれた入射角で、少なくとも１０、少なくとも１５、又は少なくとも２０の反射光の明度Ｌが生じるように実施する。
【００３８】
本発明によれば、序論で述べた、角度依存性がほとんどない均一な色を達成することと、それと同時にソーラーモジュールの高い効率を達成することとの間の相殺（トレードオフ）を、極めて満足のいくように解決することができる。一方で、カバープレートの内面及び／又は外面のパターン化した表面の結果として、内面の干渉層がより高い屈折率で界面を構成するので、高い強度でありかつ角度依存性がほとんどない光が、視射角以外でも反射される。外側のパターニングによって、光が空気／カバープレートの界面で既に屈折し、かつ光が内面の干渉層に当たって様々な角度から拡散的に散乱（散漫散乱）する。本発明によれば、異なる傾斜角度を有する多くの表面セグメントを利用できるので、内面のパターニングのみの場合には、この内面の界面で散漫散乱が起きる。他方で、光干渉層の結果として、この光が、選択的にのみフィルターにかけられ、かつその結果、残りの光が、相当な吸収損失を生じることなく、高い強度で太陽電池の光起電力活性半導体に当たることが可能であり、それによって、高い効率で、又はソーラーモジュールの最小限の効率損失で、入射光の大部分を電流に変換できるようになっている。さらに、着色光干渉層の結果として、良好な均一な色印象を達成する。干渉層は、可能な限り最良の狭帯域反射及び広帯域透過を有するフィルターとして作用する。
【００３９】
本発明によるソーラーモジュールの好ましい実施形態では、光干渉層は、カバープレートの内面に配置され、ここで、カバープレートの内面はパターン化領域を有しておらず、かつ外面は少なくとも一つのパターン化領域を有し、さらなる光干渉層は外面上には配置されていない。この内面は、好ましくは滑らかである（製造の不正確さの限度内で）。ファサード構成要素の外面のパターン化領域のセグメントに対して、粗さの必須要件はない。パターン化した外面は、比較的大きい微視的な粗さを有することさえできる。この界面で、透過、屈折、及び散乱が生じるが、干渉は生じない。外面上の追加の層は、光屈折率がカバープレートの光屈折率よりも小さい、（例えば、薄い）反射防止層であってもよい。この手段によって、カバープレート（例えばガラスプレート）の実質的に白色の反射を防止することができ、かつ色の彩度のレベルが増加する。しかしながら、外面上の追加の層は、カバープレートと同じ屈折率を有することもできる。この場合に、この層は、湿気や空気のその他の腐食成分からカバープレートを保護するためだけの役割を果たす。エッチングよって作製したサテンガラスは、平面ガラス又は圧延ガラスよりも湿熱に対してより影響を受けることがわかっている。エッチングしたソーダ石灰ガラスの場合、この追加の層は、例えば、薄いスパッタリングされたＳｉＯ２層とすることができる。
【００４０】
本発明によるソーラーモジュールの別の好ましい実施形態では、光干渉層はカバープレートの内面に配置され、ここで、カバープレートの内面は、少なくとも一つのパターン化領域を有しており、かつ外面は、少なくとも一つのパターン化領域を有し、さらなる光干渉層は外面上には配置されていない。内面のパターン化領域及び外面のパターン化領域は、互いに同一であっても又は異なっていてもよい。ファサード構成要素の外面のパターン化領域のセグメントに対して、粗さの必須要件はない。パターン化した外面は、比較的大きい微視的な粗さを有することさえできる。この界面で、透過、屈折、及び散乱が生じるが、干渉は生じない。光干渉層はパターン化領域の上に配置されるので、上述した粗さに関する必須要件は、ファサード構成要素の内面のパターン化領域のセグメントに適用される。外面をパターン化し、かつ干渉層が内面上にあるときに、角度安定性は、異なって傾斜する複数のセグメント上のパターン化した外面を通じて、光が入射して屈折し、異なる角度で干渉層に当たり、かつ干渉及び反射後に、光がカバープレートから出ていきながらパターン化した外面をもう一回通過し、そして、屈折によって光が再びその方向を変えるという事実に起因する。
【００４１】
本発明によるソーラーモジュールの別の好ましい実施形態では、光干渉層はカバープレートの内面に配置され、ここで、カバープレートの内面は、少なくとも一つのパターン化領域を有しており、かつ外面は、パターン化領域を有しておらず、さらなる光干渉層は外面上には配置されていない。この外面は、好ましくは滑らかである（製造の不正確さの限度内で）。光干渉層はパターン化領域の上に配置されるので、上述した粗さに関する必須要件は、ファサード構成要素の内面のパターン化領域のセグメントに適用される。本発明によるソーラーモジュールのこの実施形態では、光屈折率がカバープレートの光屈折率よりも小さい、（例えば、薄い）反射防止層で、カバープレートの外面をコーティングすることが有利となり得る。この手段によって、ガラスのカバープレートの実質的に白色の反射を防止することができ、かつ色の彩度のレベルが増加する。
【００４２】
本発明によるソーラーモジュールの別の好ましい実施形態では、光干渉層はカバープレートの内面に配置され、ここで、カバープレートの内面は、少なくとも一つのパターン化領域を有しており、かつ外面は、パターン化領域を有しておらず、さらなる光干渉層は外面上には配置されていない。この外面は、好ましくは滑らかである（製造の不正確さの限度内で）。光干渉層はパターン化領域の上に配置されるので、上述した粗さに関する必須要件は、ファサード構成要素の内面のパターン化領域のセグメントに適用される。２つの光干渉層は、互いに同じであっても又は異なっていてもよい。特に、光を反射するための２つの光干渉層を、一つの同じ波長範囲内で実施することができる。しかしながら、光を反射するための２つの光干渉層を、異なるか又は部分的にのみ重複する波長範囲内で実施することも可能である。このような上部の追加の層は、カバープレートの光屈折率よりも小さい屈折率を有する薄い反射防止層とすることもできる。この手段によって、カバープレート（例えばガラス）の実質的に白色の反射を防止することができ、かつ色の彩度のレベルが増加する。しかしながら、追加の上部層は、カバープレートと同じ屈折率を有することもできる。この場合に、この層は、湿気や空気のその他の腐食成分からカバープレートを保護するためだけの役割を果たす。エッチングよって作製したサテンガラスは、平面ガラス又は圧延ガラスよりも湿熱に対してより影響を受けることがわかっている。エッチングしたソーダ石灰ガラスの場合、この追加の層は、例えば、薄いスパッタしたＳｉＯ２層である。本発明によるすべての実施形態に共通して、光は、少なくとも一度はカバープレートを通過し、かつ内面の干渉層上で反射されなければならず、それによって、改善した角度安定性を有する所望の色度を達成するようになっている。
【００４３】
本発明によるソーラーモジュールの有利な実施形態では、（どちらの面をパターン化するのかに応じて）外面又は内面のパターン化領域の少なくとも８０％、特に好ましくは少なくとも９０％は、カバープレートの平面に対して傾斜する複数のセグメントから構成されている。セグメントの数を増やすことによって、カバープレートの表面のパターン化領域によって反射される光の強度が、視射角以外であってもさらに増大し、かつその角度安定性がさらに増大する。
【００４４】
本発明によるソーラーモジュールの別の有利な実施形態では、少なくとも一つのパターン化領域の複数のセグメントの少なくとも３０％は、０°を超えて最大１５°までの範囲の傾斜角を有し；このセグメントの少なくとも４０％は、１５°を超えて最大４５°までの範囲の傾斜角を有し、かつ好ましくは、ただし必須ではないが、このセグメントの１０％未満は、４５°を超える傾斜角を有する。特に好ましくは、このセグメントの少なくとも４０％は、０°を超えて最大１５°までの範囲の傾斜角を有し；このセグメントの少なくとも５０％は、１５°を超えて最大４５°までの範囲の傾斜角を有し、かつ好ましくは、ただし必須ではないが、このセグメントの１０％未満は、４５°を超える傾斜角を有する。１５°未満の小さい傾斜角を有する比較的多くのファセット（小平面）が存在する場合、基本的に、視射角に近い視野角での反射強度のみが生じ（パターン化していない面の場合のように）、これは、本発明によれば望ましくない。より急勾配のファセットでは、反射光の角度依存性は低減するが、多数の非常に急勾配のファセット（４５°を超えるファセット）では、多重反射がますます発生する可能性があり、これは不都合となる。なぜならば、このことは、その反射が本発明に関して望ましい、この割り当て分の光の吸収体層へのカップリング（結合）をより大きな程度でもたらし得るからである。加えて、多くのコーティング方法では、平坦でありかつ急勾配の表面セグメント上で、同じ層厚の適合する被覆を同時に確保することは困難である。したがって、光干渉層の層厚は、傾斜角に依存し、ここで再び、望ましくない角度依存性をもたらす。この点で最も好ましいのは、複数のセグメントがそれぞれ、０°を超え、かつ最大４５°である傾斜角を有する実施形態である。前述の条件にしたがって、視射角以外でも非常に高い強度の反射光を達成することができると同時に、特に強度の角度依存性がほとんどない、非常に高い強度の反射光を達成することができる。
【００４５】
パターンは、周期的ではなく、異方性であることが好ましい。しかしながら、特定の光学的効果のために、周期的パターン及び／又は異方性パターンを使用することもできる。ピラミッド状（角錐）、正方形状、若しくは六角形状のハニカムパターン、又は半球のような周期的でありかつ異方性のパターンも、ガラス延伸中にローラーを用いて良好に作り出すことができる。これらは、魅力的な光沢効果及び色効果のために使用することができる。表面パターンが上述の条件を満たすとき、ソーラーモジュールは、視射角以外での角度に対する色度の減少が著しく低下する。しかしながら、角度依存性は、モジュールレベル上の配向に対して異方性である。
【００４６】
少なくとも一つの光干渉層は、一つ又は複数の屈折層を含むことができ、特に、一つ又は複数の屈折層でできている。屈折層は、一つの同じ材料（同じ組成を有する）でできており、特に、層の厚さ全体にわたって均一な（等しい）屈折率を有する。光干渉層が複数の屈折層を含む場合、少なくとも２つの屈折層は、互いに異なる材料でできており、かつ異なる屈折率を有する。有利には、少なくとも一つの屈折層は、１．７を超え、好ましくは２．０を超え、特に好ましくは２．３を超える屈折率ｎを有する。原理的には、屈折率が大きいほど、反射光の角度依存性が低くなり、それによって、色印象の角度依存性をさらに低下させることができる。
【００４７】
有利には、光干渉層は、ＴｉＯｘ、ＺｒＯｘ、ＳｉＣ、及びＳｉ３Ｎ４から選択された少なくとも一つの化合物を含む。光干渉層が２層、３層、又はそれ以上の層を有する場合、光干渉層は、好ましくは、ＭｇＦ２、Ａｌ２Ｏ３、ＳｉＯ２、及び酸窒化ケイ素から選択される少なくとも一つの化合物を含む。これらは、比較的低い屈折率を有する化合物である。
【００４８】
本発明によるソーラーモジュールでは、パターン化表面と、少ない数（例えば、１〜３個の屈折層）だけの屈折層を有する光干渉層との組み合わせにより、良好な色印象をすでに達成することができる。屈折層の数が少ないために、ソーラーモジュールの生産が簡素化され、製造コストが低減する。
【００４９】
有利には、ソーラーモジュールの少なくとも一つの光干渉層（特に、全ての光干渉層）は、正確に１つの屈折層を含み（又はその屈折層でできており）、その屈折率ｎは、１．９を超え、好ましくは２．３を超える。
【００５０】
同様に、有利には、ソーラーモジュールの少なくとも一つの光干渉層（特に、すべての光干渉層）は、正確に２つの屈折層を含み（又はそれらの屈折層でできており）、第１の屈折率ｎ１を有する第１の屈折層が、屈折率ｎｄを有するカバープレート上に存在し、第２の屈折率ｎ２を有する第２の屈折層が、第１の屈折層上に存在する。屈折率の差の量（絶対値）について、｜ｎ１−ｎｄ｜＞０．３  及び  ｜ｎ２−ｎ１｜＞０．３であり、かつ屈折率ｎ１及びｎ２のうちの少なくとも一方は、１．９を超え、好ましくは２．３を超える。
【００５１】
同様に、有利には、ソーラーモジュールの少なくとも一つの光干渉層（特に、すべての光干渉層）は、正確に３つの屈折層を含み（又はそれらの屈折層でできており）、第１の屈折率ｎ１を有する第１の屈折層が、屈折率ｎｄを有するカバープレート上に存在し、第２の屈折率ｎ２を有する第２の屈折層が、第１の屈折層上に存在し、第３の屈折率ｎ３を有する第３屈折層が、第２の屈折層上に存在する。屈折率の差の量（絶対値）について、｜ｎ３−ｎ２｜＞０．３、｜ｎ２−ｎ１｜＞０．３、及び｜ｎ１−ｎｄ｜＞０．３である。ここで、屈折率の値は、次のいずれかである：ｎ１＞ｎ２  及び  ｎ３＞ｎ２、あるいはｎ１＜ｎ２  及び  ｎ３＜ｎ２。さらに、屈折率ｎ１、ｎ２、及びｎ３のうちの少なくとも一つは、１．９を超え、好ましくは２．３を超える。
【００５２】
正確に１つ、正確に２つ、又は正確に３つの屈折層を有する光干渉層は、結果として、ソーラーモジュールの均一な色印象を、ソーラーモジュールの簡素化した生産と、より低い生産コストで達成することができる。２層又は３層の層の結果として、色強度、言い換えれば明度（明るさ）と彩度、すなわち、特定の狭い波長範囲での反射を増加させることができる。比較的高い屈折率の結果、角度依存性が低下する。３つを超える層を有する積層体でできた干渉層と本発明によるパターン化したカバープレートとの組み合わせ、及び提示した実施形態もまた、本発明の範囲内にあるが、製造はより複雑である。例えば、高屈折率と低屈折率を交互に有する４層の屈折層によって、透過を改善しながら反射光の帯域幅をさらにいっそう減少させることができる。
【００５３】
カバープレートのパターン化領域では、入射光ビームの反射が、視射角以外でも比較的高い強度で発生する。この目的のために、このパターン化領域は、５０％を超える、特に好ましくは９０％を超える反射ヘイズが存在するように、好ましくは実施される。反射ヘイズは、市販のヘイズ計によって測定することができる。ＡＳＴＭ  Ｄ１００３によれば、ヘイズは、全反射に対する反射光の拡散割合の比である。
【００５４】
上述したとおり、パターン化した側が内側であり、かつ干渉層がこのパターン化した側に直接あるすべての実施形態について、セグメントが光干渉層の層厚の１５％未満の平均粗さを有する必要がある、ということが当てはまり、これによって、反射光の建設的干渉又は相殺的干渉が可能になる。有利には、このゾーンは、カバープレート全体にわたって延在する。本発明の一実施形態によれば、パターン化領域は、少なくとも一つの他のゾーン、すなわち、（サブ）領域を有し、この領域では、セグメントは、それぞれ、光干渉層上で干渉が生じないような平均粗さを有する。例えば、ここでは、セグメントは干渉層の層厚の５０％〜１００％の平均粗さを有する。これらのゾーンでは、ソーラーモジュールは、光干渉層によって生成する色を有さない。
【００５５】
本発明は、さらに、上記のような本発明によるソーラーモジュールを製造する方法に関する。この方法は、カバープレートを処理するための以下の工程を含む。
【００５６】
第１の工程（ａ）では、外部環境に面することを意図した外面と、反対側の内面とを有する平坦な透明カバープレートを提供する。
【００５７】
次に、単一の第２の工程（ｂ１）、（ｂ２）、（ｂ３）、又は（ｂ４）を、以下の４つの（択一的）工程から選択し、かつ実施する：
（ｂ１）少なくとも一つの領域において外面をパターニングし、かつ内面上に光干渉層を適用する。この場合、さらなる光干渉層を外面上には適用しない。また、内面はパターン化されていない。
【００５８】
（ｂ２）少なくとも一つの領域において外面をパターニングし、少なくとも一つの領域において内面をパターニングし、かつ内面のパターン化した領域に光干渉層を適用する。この場合、さらなる光干渉層を外面上には適用しない。
【００５９】
（ｂ３）少なくとも一つの領域において内面をパターニングし、かつ内面のパターン化した領域に光干渉層を適用する。この場合、さらなる光干渉層を外面上には適用しない。また、外面はパターン化されていない。
【００６０】
（ｂ４）少なくとも一つの領域において内面をパターニングし、内面のパターン化した領域に光干渉層を適用し、かつ外面上にさらなる光干渉層を適用する。この場合、外面はパターン化されていない。
【００６１】
上述の方法では、外面又は内面のパターニングは、外面又は内面を形成するカバープレート上に、少なくとも一つのパターン化領域を設けた透明層を適用することも含む。
【００６２】
本発明はさらに、建物外面（建物壁）又は独立壁、例えば、プライバシー壁又はノイズバリアの（一体化した）構成要素としての本発明によるソーラーモジュールの使用を提供する。
【００６３】
本発明の様々な実施形態は、個別に、又は任意の組合せで実現することができる。特に、上記した特徴及び以下に述べる特徴は、示された組み合わせだけでなく、本発明の技術的範囲から逸脱することなく、他の組み合わせで、又は単独でも使用することができる。
【００６４】
以下、添付図面を参照しながら本発明を詳細に説明する。これらの図面は、正確な縮尺のとおりのものではなく、簡略化して描写されている。
【図面の簡単な説明】
【００６５】
【図１】本発明によるソーラーモジュールの例示的な実施形態の概略断面図である。
【図２】本発明によるソーラーモジュールの基本構造の概略断面図である。
【図３】本発明によるソーラーモジュールの構成による図２のカバープレートの拡大した詳細図の概略断面図である。
【図４】ファサード要素として実施したソーラーモジュールの典型的な光の関係の概略図である。
【図５】図２のソーラーモジュールのカバープレートのパターン化領域における反射の際の例示的な光路の概略図である。
【図６】光干渉層における光線の干渉の概略図である。
【図７】本発明によるソーラーモジュールのさらなる実施形態である。
【図８】本発明によるソーラーモジュールのさらなる実施形態である。
【図９】本発明によるソーラーモジュールのさらなる実施形態である。
【図１０】本発明によるソーラーモジュールのさらなる実施形態である。
【図１１】マルチアングルでの色測定のための測定方法の概略図である。
【図１２】様々なガラスペインの明度の角度依存測定による測定値を示したグラフである。
【図１３】ガラスペインの高さプロファイルである。
【図１４】ガラスペインの高さプロファイルである。
【図１５】様々なガラスペインのセグメントの角度分布を示したグラフである。
【図１６】パターン化したカバープレートの特性を示したグラフである。
【図１７】パターン化したカバープレートの特性を示したグラフである。
【図１８】パターン化したカバープレートの特性を示したグラフである。
【図１９】本発明による方法を説明するためのフローチャートである。
【発明を実施するための形態】
【００６６】
図１は、全体として番号１として言及する本発明によるソーラーモジュールを、断面図を使って概略的に例示したものである（モジュールの表面に対して垂直に切断したもの）。薄膜ソーラーモジュールの形態で例示的に実施されているソーラーモジュール１は、一体化された形態で互いに直列接続した複数の太陽電池１２を含み、ここでは大幅に簡略化した様式で、２つの太陽電池のみが描かれている。もちろん、一般的に言えば、ソーラーモジュール１には、多数の太陽電池１２（例えばおおよそ１００〜１５０）が直列接続している。
【００６７】
ソーラーモジュール１は、サブストレート形態において複合ペイン構造を有している。これは、薄層でできた層構造３をその上に適用した背面基板２を備えており、層構造３が、この基板２の光入射側の表面に配置されている。ここで、基板２は、例えば、比較的高い光透過性を有する硬質の平坦なガラスプレートとして実施されるが、実施するプロセス工程に対して所望の安定性及び不活性挙動を有する他の電気絶縁材料も同様に使用することができる。
【００６８】
基板２の表面に配置されている層構造３は、不透明な背面電極層５を含み、この背面電極層は、例えば、モリブデン（Ｍｏ）のような光不透過性金属でできており、蒸着又はマグネトロン強化カソードスパッタリング（スパッタリング）によって基板２上に直接適用されている。背面電極層５は、例えば、３００ｎｍ〜６００ｎｍの範囲の層厚を有する。背面電極層５の上に、光学的（光起電性）活性吸収体層６を適用し、この吸収体層は、割り当てられる日光を可能な限りたくさん吸収することのできるバンドギャップを有する金属イオンをドープした半導体でできている。吸収体層６は、例えば、ｐ−導電性黄銅鉱型半導体でできており、例えば、Ｃｕ（Ｉｎ／Ｇａ）（Ｓ／Ｓｅ）２の群の化合物、特にナトリウム（Ｎａ）をドープしたＣｕ（Ｉｎ／Ｇａ）（Ｓ／Ｓｅ）２でできている。上記式中、インジウム（Ｉｎ）及びガリウム（Ｇａ）並びに硫黄（Ｓ）及びセレン（Ｓｅ）は、任意に又は組み合わせて存在することができる。吸収体層６は、例えば１〜５μｍの範囲にあり、特に約２μｍである層厚を有する。典型的には、吸収体層６を製造するために、例えば、スパッタリングによって、種々の材料層を適用し、これらの層は、任意に、Ｓ及び／又はＳｅを含む雰囲気中で、炉内で加熱することによって（ＲＴＰ＝急速熱処理）、続いて熱的に変換され、化合物半導体を形成する。化合物半導体のこの製造方法は、当業者には周知であり、ここで詳細に論じる必要はない。吸収体層６の上に堆積するのはバッファー層７であり、図１には詳細に描かれていないが、ここでは、このバッファー層は、例えば、硫化カドミウム（ＣｄＳ）の単一層と、（ドープされていない）イントリンシックな（本来の）酸化亜鉛（ｉ−ＺｎＯ）の単一層とから構成されている。前面電極層８を、例えばスパッタリングによってバッファー層７の上に適用する。前面電極層８は、可視スペクトル範囲の放射線に対して透明であり（「ウィンドウ電極」）、それによって、入射する太陽光（図１に矢印で示されている）がわずかにしか弱められないようになっている。前面電極層８は、例えば、ドープした金属酸化物、例えば、ｎ−導電性アルミニウム（Ａｌ）−ドープ酸化亜鉛（ＺｎＯ）に基づく。このような前面電極層８は、一般に、ＴＣＯ層（ＴＣＯ＝透明導電性酸化物）と呼ばれる。前面電極層８の層厚は、例えば、約５００ｎｍである。前面電極層８は、バッファー層７及び吸収体層６とともに、ヘテロ接合（すなわち、連続した逆の導体タイプの層）を形成する。バッファー層７は、吸収体層６と前面電極層８との間の電子的適合を効果的に行うことができる。
【００６９】
環境の影響からの保護のために、特に層構造３を封止する役割を果たす（プラスチック製の）接着剤層９を層構造３の上に適用する。接着剤層９で接着するのは、太陽光に対して透明な前面又は光入射側のカバープレート１０であり、ここでは、例えば、鉄含有量の少ない極白色ガラスでできた硬質の（平坦な）ガラスプレートの形成で実施されている。カバープレート１０は、シーリングのため、及び層構造３の機械的保護のために使用する。カバープレート１０は、太陽電池１２に面した内面１３と、太陽電池１２とは反対側に面した外面１１とを有し、同時に、この外面は、モジュール表面又はモジュール上部である。ソーラーモジュール１は、外面１１を介して太陽光４を吸収することができ、それによって、結果として生じる電圧接続（＋、−）上に電気電圧を発生させることができるようになっている。電流経路は、連続して配置された矢印によって図１に示されている。カバープレート１０及び基板２は、ここで実施されている接着剤層９によって互いにしっかりと結合し（「積層され」）、例えば、接着剤層は、加熱によって塑性変形可能であり、冷却すると、カバープレート１０及び基板２を互いに固定的に結合する熱可塑性接着剤層として実施される。接着剤層９は、製造工程において積層フィルムとして設けることができ、ここでは、例えばＰＶＢでできている。カバープレート１０と、太陽電池１２が接着剤層９に埋め込まれた基板２とは、一緒になって積層複合体を形成する。モジュールの裏面１４は、太陽電池１２の反対側を向いている基板２の面である。
【００７０】
太陽電池１２を形成しかつ直列に接続するために、例えばレーザースクライビング及び／又は機械的アブレーションのような適切なパターン形成技術を用いて、層構造３をパターン化する。一般的には、この目的のために、直接的に連続した３つのパターニングラインＰ１−Ｐ２−Ｐ３をそれぞれ層構造３に導入する。ここで、第１のパターニングラインＰ１は、少なくとも背面電極層５を分割して、太陽電池１２の背面電極を生成する。第２のパターニングラインＰ２は、少なくとも吸収体層６を分割して、太陽電池１２の光起電活性領域（吸収体）を生成する。第３のパターニングラインＰ３は、少なくとも前面電極層８を分割して、太陽電池１２の前面電極を生成する。第２のパターニングラインＰ２を用いて、一つの太陽電池１２の前面電極は、隣り合う太陽電池１２の背面電極に電気的に接続し、ここで、前面電極は、例えば、背面電極に直接接触する。図１の例示的な実施形態では、第１のパターニングラインＰ１のトレンチは、吸収体層６の材料で充填されている。第２のパターニングラインＰ２のトレンチは、前面電極層８の材料で充填されており、第３のパターニングラインＰ３のトレンチは、接着剤層９で充填されている。第１、第２、及び第３のパターニングラインＰ１−Ｐ２−Ｐ３のそれぞれ直接的な連続が、直接隣り合う太陽電池１２の直列接続のためのパターニングゾーンを形成する。
【００７１】
ここで、図２を参照する。図２には、本発明によるソーラーモジュール１の基本構造が示されている。ソーラーモジュール１は、カバープレート１０（例えば、前面ガラス）と背面基板２上に適用された層構造３とを備えており、これらは、接着剤層９（積層フィルム）によって互いにしっかりと結合している。ソーラーモジュール１のための着色要素は、被覆されたカバープレート１０であり、その外面１１は入射光に面し、その内面１３は接着剤層９を介して光起電性の太陽電池１２（シリコンウェハ又は薄膜ソーラーモジュール）に接続されている。ソーラーモジュール１は、特に、図１に示すように構造化することができる。カバープレート１０は、ここでは、例えば、可能な限り吸収の少ないガラスペインであり、例えば、ソーダ石灰ガラスでできている。カバープレート１０の外面１１及び／又は内面１３は、（例えば、延伸プロセス中のエッチング、サンドブラスト、又はローリングによって）パターン化されており、かつこの場合に、図１及び図２には示されていないが、内面１３上及び任意に外面１１上に光干渉層を有している（図３を参照されたい）。
【００７２】
図３は、図２のソーラーモジュール１のカバープレート１０の拡大した詳細図を使って、本発明によるソーラーモジュール１の実施形態を示したものである。カバープレート１０の外面１１は、領域１５においてパターン化されており、この例では、領域１５が外面１１の全体にわたって延在しており、つまり、外面１１とパターン化領域１５とが一致している。光干渉層１６が、この内面１３上に直接配置されている。パターン化した領域１５において、外面１１は、山と谷とを有する高さプロファイルを備えている。ここで、外面１１の５０％以上は、平面の複数のセグメント１７からなり、その平面は、それぞれ、カバープレート１０の平面に対して傾斜しており、すなわち、ゼロではない角度を有している。外面１１の最高点（山）と最低点（谷）との間の高さの差の平均は、少なくとも５μｍであり、例えば、透明なカバープレート１０の厚さの最大２０％である。カバープレート１０の平面に対して、セグメントの少なくとも２０％は、０°を超えて最大１５°までの範囲の傾斜角を有し；セグメントの少なくとも３０％は、１５°を超えて最大４５°までの範囲の傾斜角を有し；セグメント１７の３０％未満は、４５°を超える傾斜角を有する。図３の例示的な実施形態では、すべてのセグメントが、最大４５°の傾斜角度を有している。光干渉層１６は薄く、例えば０．１μｍ〜数マイクロメートル（例えば５μｍ）の範囲の層厚を有する。また、光干渉層１６は、１．７を超え、好ましくは２．０を超え、特に好ましくは２．３を超える屈折率ｎを有し、かつ入射光に関して可能な限り最小の吸収を有する。光干渉層１６は、単層又は多層とすることができ、言い換えれば、一つ又は複数の屈折層から構成することができる。それぞれの屈折層は、特定の屈折率を有し、かつ同じ材料でできている。例えば、光干渉層１６は、ＭｇＯ、ＳｉＯＮｘ、Ｓｉ３Ｎ４、ＺｒＯ２、ＴｉＯｘ、及び／又はＳｉＣでできている。個々の屈折層の導電率、特に光干渉層１６の導電率は、可能な限り低くなければならない。
【００７３】
以下に、カバープレート１０の外面１１のパターニングの動作原理を詳述する。最初に図４を考慮すると、ここでは、一例として、ファサード構成要素として実施されているソーラーモジュール１についての典型的な光の関係が図示されている。図４では、太陽Ｓからの光は、カバープレート１０に直接当たり、かつ視射角に反射される（カバープレートの平面の面法線に対して、入射角＝反射角）。入射光線Ｅと、視射角で反射した光線Ｒが描かれている。内側又は外側の少なくとも一つのパターン化した側と、内部に位置する干渉層との本発明による構成に起因して、反射光線Ｒに加えて、入射光はまた、視射角以外に拡散的に散乱（散漫散乱）される。拡散的に散乱（散漫散乱）した２つの光線Ｒ’を例として示している。色効果は、反射、散乱、及び干渉によって作り出される。観察者Ｂがソーラーモジュール１の前に立ち、カバープレート１０に対して直角に、自分自身の前を直接見るとき、直接反射光Ｒが観察者の目に当たるのは、ほんの稀な場合だけである（換言すれば、観察者は、通常、視射角内にはいない）。このことが図４に示されており、ここでは、観察者Ｂが視射角外に位置し、かつ拡散的に散乱された光線Ｒ’のみを見ている。内側又は外側にパターン化領域のないカバープレートの場合、拡散的に散乱された光Ｒ’の強度は比較的に低く、かつ強い角度依存性を有する。拡散的に散乱された光の割合が十分に大きい場合にのみ、満足のいく強度（明度、Ｌ値）を有するきれいな色が存在する。
【００７４】
図５を参照して、図３の実施形態による、内面の干渉層１６と組み合わせたパターン化した外面１１の機能を詳細に説明する。図５に示されているのは、例として、カバープレート１０の異なって傾斜したセグメント１７に対する様々な光の経路である。例として、３つのセグメント１７が描かれており、ここで、右側のセグメント１７はカバープレート１０の平面に平行であり、２つの他のセグメント１７はカバープレート１０の平面に対してゼロ以外の角度を有している。干渉層１６上の光線の反射は、簡略化した様式で示してある。干渉層１６上の反射については、図６に関連して後で説明する。図５は、カバープレート１０の外面１１の異なって傾斜したセグメント１７に、カバープレート１０の平面の法線に対して、それぞれ、１つの同じ角度で当たる３つの光線の光路を描いている。セグメント１７に対するそれぞれの垂直線は、破線で描かれている。異なって傾斜したセグメント１７に起因して、光線は異なって反射される。第１の光線１−１は、セグメント１７に当たって、屈折光線１−２としてカバープレート１０を横断し、干渉層１６によって光線１−３として（視射角で）反射され、屈折光線１−４としてカバープレート１０から外部環境に出る。カバープレート１０で最終的に反射された光線１−４は、カバープレート１０の平面に対する法線に対して、入射光線１−１とは異なる角度を有し、それによって、視射角において反射がなく、むしろ散乱があるようになっている。これに対応して、第２光線２−１は、異なるセグメント１７に当たって、屈折光線２−２としてカバープレート１０を通過し、光線２−３として干渉層１６によって反射され、かつ屈折光線２−４としてカバープレート１０から外部環境に出る。反射された光線２−４は、カバープレート１０から光線２−１の入射方向とほぼ逆向きに出て行き、これも同様に散乱過程であり、かつ視射角での反射はない。第３の光線３−１は、さらなるセグメント１７に当たって、屈折光線３−２としてカバープレート１０を横切って、光線３−３として干渉層１６によって反射され、かつ屈折光線３−４としてカバープレート１０から外部環境に出る。このセグメント１７は、カバープレート１０の平面に対して平行であり、それによって、光線３−４が視射角で反射されるようになっている。ここで最も重要なことは、カバープレート１０の平面に対して傾斜したこれらのセグメント１７の結果として、それぞれのセグメント１７上での屈折と、続く干渉層との界面上での反射と、パターン化した表面上でのさらなる屈折とに起因して、（カバープレート１０の平面に対して）視射角以外であっても、全体として強い反射が発生し、それによって、干渉層１６と組み合わせることで、反射光の均一な色彩効果が達成されるようになっているという事実である。図５は、例として、視野角以外に位置する観察者Ｂの位置を示す。外側のパターニングを有し、比較的強く（拡散的に）散乱するカバープレート１０と、内側の干渉層とに起因して、視射角以外の様々な視野角に対して、少なくとも１回はカバープレートを通過して内側の干渉層へ至る、大部分は好適な複数の光路が存在する。この結果、パターン化領域１５のない従来技術のモジュールの場合よりも、方向依存性がはるかに少ない色印象が得られる。
【００７５】
図６は、層厚ｄを有する光干渉層１６上の反射の関係を示している。図に描かれているのは、干渉層１６に当たる光線Ｅ（カバープレート１０を通過した後）であり、この光線Ｅは、カバープレート１０に近い界面（反射光線Ｒ１）と、カバープレート１０から遠い（ここでは封入層を有する）界面（反射光線Ｒ２）との双方で反射される。２つの光線Ｒ１、Ｒ２の光路差が、入射光線の波長の倍数に相当する場合に、建設的干渉が発生し（入射角＝出射角）、入射光線の半波長の倍数の光路差を伴う場合に、相殺的干渉が発生する。白色光による照明の場合、建設的干渉は、屈折率ｎ及び層厚ｄに依存して、適切な波長の光に対してのみ発生するので、光干渉層は、カラーフィルターとして作用する。ここで、αは、面法線に対する反射光線Ｒ１、Ｒ２の角度である。
【００７６】
ここで、図７を参照する。図７には本発明によるソーラーモジュール１の別の実施形態が描かれている。不必要な繰り返しを避けるために、図３の実施形態との相違点のみを説明し、それ以外の点は、上述の説明を参照するものとする。したがって、ソーラーモジュール１は、カバープレート１０の内面１３上に、パターン化領域１５上に配置されている光干渉層１６を有するパターン化領域１５を有している。
【００７７】
パターン化領域１５では、内面１３に山と谷を有する高さプロファイルが設けられている。ここで、外面１１の５０％以上は、平面セグメント１７からなり、その平面は、それぞれ、カバープレート１０の平面に対して傾斜しており、言い換えれば、ゼロでない角度を有しており、ここで、セグメントは、それぞれ、平面であり、かつ少なくとも１μｍ２のセグメント面積を有し、セグメント１７は、内面１３上に、それぞれ、光干渉層１６の層厚の１５％未満の平均粗さを有している。光干渉層１６は薄く、パターン化領域１５の表面に従う。パターン化領域１５及び光干渉層１６は、それぞれ、図３の実施形態のものと類似して実施することができる。カバープレート１０の外面１１は、パターン領域１５を有しておらず、製造の不正確さの限度内で滑らかである。パターン化領域１５のセグメント１７の粗さに対する必須要件は、層厚が均一で干渉層が十分に平滑である場合にのみ薄層上で干渉が生じるという事実に由来する。
【００７８】
図８は、例として、図５と類似して、図７のカバープレートの実施形態についての３つの異なる光路を示したものである。干渉層１６上の光線の反射は、再び簡略化した様式で描かれている。図６に関する記述を同様に適用する。異なって傾斜するセグメント１７によって、光線もカバープレート１０によって異なって反射される。第１の光線１−１は、カバープレート１０の外面１１に当たって、屈折光線１−２としてカバープレート１０を横断し、カバープレート１０の平面に対して傾斜したセグメント１７で光線１−３として反射され、かつ屈折光線１−４としてカバープレート１０から外部環境に出る。これに対応して、第２の光線２−１がカバープレート１０の外面１１に当たり、屈折光線２−２としてカバープレート１０を横断し、カバープレート１０の平面に平行なセグメント１７によって光線２−３として反射され、かつ屈折光線２−４としてカバープレート１０から外部環境に出る。これに対応して、第３の光線３−１がカバープレート１０の外面１１に当たり、屈折光線３−２としてカバープレート１０を横断し、光線３−３としてカバープレート１０に対して傾斜したセグメント１７によって反射され、かつ屈折光線３−４としてカバープレート１０から外部環境に出る。中央のセグメント１７に対してのみ、入射光線２−１及び反射光線２−４について、入射角＝反射角の条件、すなわち、視射角における反射の条件が満たされている。他の光線は、セグメント１７によって、それぞれ局所的な視射角で反射される。しかしながら、この局所的な視射角は、カバープレート１０の平面の視射角には対応しておらず、それによって、比較的強い散乱が生じるようになっている。光干渉層１６に関連して、ソーラーモジュール１に対する均一な色印象を達成することができる。この場合も同様に、光がカバープレートを少なくとも１回通過して内面の干渉層までずっと至るとき、視射角以外の角度に対してのみ、色が生じる。
【００７９】
図９は、本発明によるソーラーモジュール１の別の実施形態を示す。不必要な繰り返しを避けるために、図７の実施形態との相違点のみを説明し、それ以外の点は、上述の説明を参照するものとする。したがって、このソーラーモジュール１は、カバープレート１０の内面１３のパターン化領域１５上の光干渉層１６に加えて、カバープレート１０の外面１１上に直接、さらなる光干渉層１６’を有している。外面１１はパターン化されておらず、言い換えれば、内面１３に類似するパターン化領域１５を有していない。光干渉層１６’は、層厚ｄ’と光屈折率ｎ’とを有する。この２つの干渉層１６、１６’は、例えば、一つの同じ層厚（ｄ’＝ｄ）及び一つの同じ屈折率（ｎ’＝ｎ）を有する。しかしながら、層厚及び屈折率は、必ずしも同じである必要はない。特に、２つの光干渉層１６、１６’の層厚及び屈折率は、互いに異なっていてもよい。２つの光干渉層１６、１６’に対して同じ光学的厚さｎ＊ｄ＝ｎ’＊ｄ’を選択すると、観察者に到達する光が、合計で３回、光干渉層を通過し、かつその結果としてより強くフィルタリングされるので、ソーラーモジュール１の色を強めることができる。著しく異なる光学的厚さを有するコーティングの場合には、混合色を生成することができる。
【００８０】
カバープレート１０の外面１１を、無機質の化学的に不活性でありかつ硬質の層、例えばＳｉ３Ｎ４でできた光干渉層１６’でコーティングすることにより、ソーラーモジュール１には、高い耐引掻性、化学的安定性、及び防塵作用がもたらされる。さらに、ＴｉＯ２のような光触媒層を使用することにより、自己清浄効果が得られる。このような追加の被覆層は、カバープレート１０の屈折率よりも小さい屈折率を有する薄い反射防止層であってもよい。したがって、カバープレート（例えば、ガラス）の実質的に白色の反射が防止され、色の彩度が増加する。
【００８１】
図１０は、本発明によるソーラーモジュール１の別の実施形態を示す。不必要な繰り返しを避けるために、図７の実施形態との相違点のみを説明し、それ以外の点は、上述の説明を参照するものとする。したがって、ソーラーモジュール１のカバープレート１０の内面１３は、パターン領域１５を有している。さらに、カバープレート１０の外面１１は、セグメント１７’を有するさらなるパターン化領域１５’を有している。光干渉層１６は、内面１３のパターン領域１５上にのみ配置されている。２つのパターン化領域１５、１５’は、同じであっても又は異なるようにしても実施することができる。内面１３のパターン化領域１５と外面１１のパターン化領域１５’との両方に、山と谷とを有する高さプロファイルが設けられている。ここで、内面１３又は外面１１の５０％以上は、平坦なセグメント１７からなり、その平面は、それぞれ、カバープレート１０の平面に対して傾斜しており、言い換えれば、ゼロでない角度を有している。パターン化した内面１３に対してのみ、セグメント１７は、それぞれ、少なくとも１μｍ２のセグメント面積、及び光干渉層１６の層厚ｄの１５％未満の平均粗さを有する。外面１１のパターン化領域１５’のセグメント１７’については、粗さに対する必須要件はない。内面１３又は外面１１の最高点（山）と最低点（谷）との間の高さ差の平均は、少なくとも２μｍであり、例えば、透明カバープレート１０の厚さの最大２０％である。カバープレート１０の平面に対して、セグメント１７、１７’の少なくとも２０％は、０°を超えて最大１５°までの範囲の傾斜角を有し、セグメント１７、１７’の少なくとも３０％は、１５°を超えて最大４５°までの範囲の傾斜角を有し、かつセグメント１７、１７’の３０％未満は、４５°を超える傾斜角を有する。図１０の例示的な実施形態では、すべてのセグメント１７、１７’は、最大で４５°の傾斜角度を有している。ここでも、光は、少なくとも１回、カバープレートを通過して内面の干渉層までずっと到達しなければならず、それによって、反射及び新たな屈折の後で、光が、視野角以外の角度で散乱しかつカラーフィルタリングされて観察者に到達するようになっている。２つのパターン化した表面によって、図５、７、及び９の実施形態と比較して、角度安定性をさらに増加させることができる。
【００８２】
図１１は、マルチアングルでの色測定のための測定方法を示したものであり、ここでは、カバープレート１０がガラスプレートとして実施されており、光干渉層１６でまだコーティングされていないカバープレート１０の散漫散乱を、市販のマルチアングル分光光度計２０（ｘ−ｒｉｔｅ  ＭＡ−Ｔ１２）で測定する。パターン化領域１５’は、カバープレート１０の外面１１の全体にわたって延在している。Ｄ６５標準光源の光線が、特徴付けられるカバープレート１０の外面１１に様々な入射角で向けられ、ここでは、例えばガラスプレートの面法線に対して１５°又は４５°といった様々な視野角からの散乱光又は反射光をスペクトル的に測定する。黒色の非光沢層１９（例えば、約１．５の屈折率を有する液体で付着されている）が、カバープレート１０の下に位置している。マルチアングル分光光度計２０を使って、Ｌ−ａ−ｂシステムにおける明度を、Ｄ６５標準照明及び１０°の開口角で測定することができる。良好な角度安定性（散乱光の低い角度依存性）が存在し、４５°と１５°の両方の視野角で、かつ（両方向の）視射角からそれぞれ測定した４５°の入射角で、少なくとも、Ｌ＝１０、好ましくはＬ＝１５、さらに好ましくはＬ＝２０の明度（明るさ）が依然として存在することがわかっている。角度データは、以下のように理解されるべきである：（面法線に対する）反射角／（視射角に対する）入射角。例えば、（面法線に対して測定した）視野角４５°及び（視射角から測定した）入射角４５°では、入射光線は表面に対して正確に垂直に当たる（４５／４５）。視野角１５°及び入射角４５°で、入射方向は視野方向と同じ側で面法線から３０°である（１５／４５）。マルチアングル分光光度計２０は、面法線に対して４５°又は１５°の視野角で配置する。
【００８３】
図１２は、着色光干渉層のない様々な前面ガラスの明度Ｌの測定結果を示したものであり、図１１のようにマルチアングル分光光度計２０で測定したものである。グリセリンの薄層（屈折率ｎ＝１．４７）を使用して、前面ガラスの裏面に、両面を黒くした艶消しガラスを光学的に付着させ、それによって、実質的に表面の反射が測定されるようになっている。ヘイズが９４％のサテンガラスａ；ヘイズが２％の、反射防止層を有するわずかにテクスチャー加工されたソーラーガラスｂ（ソーラーガラス、タイプ：Ａｌｂａｒｉｎｏ  Ｔ）；ヘイズが０．５％未満（＜０．５％）のパターン化されていないフロートガラスｃ；エンボス加工したピラミッド形の構造（平行）を有する圧延ガラスｄ；及びエンボス加工したピラミッド形の構造（傾斜）を有する圧延ガラスｅについて測定した。角度データは、「／」が「ａｓ」で置き換えられていることを除いて、図１１の角度データに対応している。
【００８４】
明らかに、サテン前面ガラスａ及び２つの圧延ガラスｄ、ｅは、ソーラーガラスｂ又はフロートガラスｃよりも、全体的に、著しく高い強度の反射光を呈する。フロートガラスｃは、実質的に、視射角で一つだけの反射を有する。特に、視射角から遠く離れた角度で、サテンガラスａ及び２つの圧延ガラスｄ、ｅでは、依然として大きな明度を認識することができる。正確には、この効果は、着色干渉層と組み合わせて、本発明によって有利に使用される。ガラスの粗さの結果として、異なる傾斜角度を有する微視的表面を常に利用でき、それによって、図５（外側のパターン化した面）又は図８（内側のパターン化した面）の光路を用いて、低いヘイズを有するパターン化されていないガラスペイン（例えば、フロートガラスｃ）上にコーティングを有するものよりも、色の方向依存性、特に明度（明るさ）の方向依存性を著しく低いものとすることができる。本発明によるパターン化した表面は、それぞれ、可視光の波長よりも大きい寸法のファセット（小平面）及びパターンサイズを有していなければならない。例えば、エッチングしたガラスは、これに適している。しかしながら、パターンは、例えば、圧延ガラスのように、ミリメートル未満の範囲内とすることもできる。圧延パターンをエッチングしたテクスチャーと組み合わせることもできる。パターンは、ガラス上の異なる透明材料の堆積プロセス及びパターニングによって適用することもできる。パターンは、傾斜角の分布が広い、できる限り異なる表面傾斜を有するべきである。
【００８５】
図１３は、図１２のわずかにテクスチャー加工されたガラスペインｂ（ソーラーガラス、タイプ：  Ａｌｂａｒｉｎｏ  Ｔ）の高さプロファイルを示し；図１４は、エッチングによってより強くパターン化した図１２のガラスペインａ（サテンガラス）の高さプロファイルを示す。この高さプロファイルは、共焦点顕微鏡による測定から生成した。
【００８６】
図１５は、図１３及び図１４の共焦点顕微鏡による測定から生成された角度分布を示したものである。わずかにパターン化したガラスペインｂ（ソーラーガラス、タイプ：Ａｌｂａｒｉｎｏ  Ｔ）では、セグメントは非常に大きく、かつわずか５〜１０°の傾斜角しか生じないが、エッチングされたガラスペインａ（サテンガラス）のセグメントは、約２５°の平均角度で４０μｍ（ガラス面における山から谷までの距離）の範囲にある。エッチングされたガラス板ａの角度分布は、わずかにパターン化したガラスペインｂの角度分布よりも非常に広い。視射角から２０〜３０°を超える角度で、わずかにテクスチャー加工した（パターン化した）ガラスペインｂには、（Ｌ値として測定された）ほとんどわずかな反射の強度しか見出されない。対照的に、サテンガラスペインａでは、４５／４５又は１５／４５で依然として著しい明度が見られる。図１５には、他のペイン（サテンガラスペインｃ、タイプ：Ａｌｂａｒｉｎｏ  Ｓのわずかにテクスチャー加工されたソーラーガラスｃ’、追加のガラスｅ、ｅ’）の角度分布も示してある。
【００８７】
本発明によれば、カバープレートの少なくとも内面上の光干渉層と組み合わせた、カバープレートの少なくとも一つのパターン化した面によって、色効果の明確に検出可能な増強を達成することができる。これとは対照的に、他のパターン化されていないガラスペインの内面に光干渉層を適用した場合、色効果はより少なく、かつ強い角度依存性がある。一般的に、屈折率のより高いコントラストは、より強い反射をもたらし、したがって、より強い色（はっきりした色）をもたらす。
【００８８】
薄層上の干渉に対する規則性から、色の変化の角度依存性は、屈折率が高いほど、より少ないということに従う。以下の表Ｉは、屈折率が１．５の入口媒体（ガラスなど）、次いで屈折率が２．０又は２．５の干渉層、次いで屈折率が１．５の出口媒体（積層フィルムなど）を有する光学パッケージの屈折率を示したものである。表Ｉから、法線に対して４５°までの角度で、屈折率が２．５の干渉層がある場合、反射スペクトルの約１５ｎｍのわずかな偏移しかないことが明らかである。反射率が低い材料（屈折率２．０、例えばＳｉ３Ｎ４）を使用すると、角度依存性の最大値はやや大きくなる。
【００８９】
【表１】
2021532593.tif 000003
【００９０】
光干渉層は、単層又は多層であってよく、ここで、各層は、均一な屈折率を有する同一の材料の屈折層によって形成される。特に、光干渉層は、正確に２つ又は正確に３つの屈折層からなることができる。ブラッグフィルター（λ／４の層）としての三層からなる層を使用すると、例えば、反射スペクトルの着色最大値の幅が小さくなり、かつ強度が強くなる。適切な層の組み合わせでは、赤色の色調を生成することもできる。より高いオーダーでは常に過剰に青色又は緑色が導入されるので、単層では赤色の色調はほとんど不可能である。二層及び三層からなる層によって、反射光のスペクトル範囲を狭くすることができ、かつ正しい色合いを見つけるための自由度がより大きくなる。
【００９１】
既に述べたように、二層の光干渉層の使用によって、明度及び色合いの彩度を向上させることができ、かつ透過率を同時に最適化することができる。好ましくは、光干渉層は、屈折率ｎｄのカバープレート上の内側の、第１の屈折率ｎ１を有する第１の屈折層と、第１の屈折層の上の第２の屈折率ｎ２を有する第２の屈折層とを有する、正確に二層で構成されている。したがって、第２の屈折層は、封入フィルムに隣接している。屈折率の差の量については、以下が適用される：
｜ｎ１−ｎｄ｜＞０．３  及び  ｜ｎ２−ｎ１｜＞０．３
かつ、屈折率ｎ１及びｎ２のうちの少なくとも一方は、１．９を超え、好ましくは２．３を超える。
【００９２】
三層の光干渉層を使用することにより、さらに多くの色を可能にし、かつ色合い、角度依存性、及び透過率についてのさらなる最適化が可能になる。正確に３つの層（屈折層）からなる光干渉層は、屈折率ｎ１、ｎ２、ｎ３を有する２つ又は３つの異なる材料でできていて、ここで、屈折率ｎｄのカバープレートの内側上の、第１の屈折率ｎ１を有する第１の屈折層があり、かつ第１の屈折層の上の第２の屈折率ｎ２を有する第２の屈折層があり、かつ第２の屈折層の上の第３の屈折率ｎ３を有する第３の屈折層がある。したがって、第３の屈折層は、封入フィルムに隣接している。屈折率の差の量については、以下が適用される：  ｜ｎ３−ｎ２｜＞０．３  及び  ｜ｎ２−ｎ１｜＞０．３  及び
｜ｎ１−ｎｄ｜＞０．３
屈折率の値は交互になっており、すなわち、ｎ１＞ｎ２  及び  ｎ３＞ｎ２であるか、又はｎ１＜ｎ２  及び  ｎ３＜ｎ２のいずれかである。さらに、屈折率ｎ１、ｎ２、及びｎ３のうちの少なくとも一つは、１．９を超え、好ましくは２．３を超える。
【００９３】
様々な実施形態における本発明の技術的な実施の結果を以下に説明する。
【００９４】
ＣＩＧＳ薄膜ソーラーモジュールを製造した。通常の前面ガラスの代わりに、コーティングし、かつパターン化した前面ガラスを使用した。標準的な前面ガラスは、反射防止層を有し、かつほんのわずかしかパターン化されていない（ヘイズ＝２％）。化学的にエッチングしたガラス、すなわちサテンガラスを、パターン化した、又はテクスチャー加工したガラスとして使用した。ガラスは９４％のヘイズを有していた。顕微鏡分析は、２０〜４０μｍのパターンサイズ及び１５μｍのパターン高さを有する表面パターンを示した。使用したサテンガラスの表面の共焦点顕微鏡像を図１４に示す。表面パターンの角度（ガラスの平面に対する角度）は、２０〜４０°付近の典型的な角度で、どちらかといえば平坦であった。比較のために、内側に多層干渉層を有する市販の前面ガラスを用いた。
【００９５】
マグネトロンスパッタリングを用いて、窒化ケイ素（Ｓｉ３Ｎ４）の単層を用いて、ガラスのパターン化されていない面をコーティングした。所望する色に応じて、５０ｎｍ〜２５０ｎｍの範囲の層厚で層を堆積した。次いで、パターン化した側を外側（すなわち、太陽に面した側）にして、ガラスをＣＩＧＳ薄膜回路に積層した。参考として、異なる屈折率を有する様々な材料の多層からなる層で内側ができている市販の前面ガラスを使用した。続いて、モジュールを、マルチアングル分光光度計を用いて特徴付け、かつ色値をＬｈｃ座標で評価した（Ｌ＝明度、Ｃ＝色度又は彩度、及びｈ＝色相又は色合い（色むら））。マルチアングル分光光度計は、２つの視野角度と６つの照射角度をそれぞれ有している。照射角度は、それぞれの視野角について、視射角を基準とするものである。
【００９６】
図１６〜図１８は、外側サテンガラスの内側の平滑面上のコーティング、外側にピラミッドパターンを有する圧延ガラスの平滑面上のコーティング、及び多層からなる層システム上のコーティング（それぞれ内側のコーティング）についての、Ｌ、ｈ、及びｃの結果を示したものである。軸の表示「１５ａｓ４５」は、１５°の検出角度、及び観察者の方向で視射角から４５°の照明角度を意味し、すなわち、照明方向と視野方向との間の角度は、視射角よりも小さい。「１５ａｓ−４５」は、視射角の４５°後方を意味し、つまり、照明方向と視野方向との間の角度は、視射角よりも大きい。
【００９７】
斜めに向いた入射を伴うピラミッド形のパターンについて、視射角以外の角度で色が依然としてきれいに見えることがわかる。しかしながら、Ｓｉ３Ｎ４の単層を有する内側のコーティングは、明度及び彩度に関して、多層からなる層のものに非常に近くなった。色合い（色むら）の角度依存性は、すべてのコーティングについて同様である。
【００９８】
さらなる実験では、Ｓｉ３Ｎ４又は二酸化チタンの単層を様々なガラス上にコーティングし、かつそれぞれ内側にコーティングを有するようにして、ガラスをモジュールに組み込んだ。表面を拡散的に照らし（Ｄ６５タイプの光）、かつ面法線に対して８°の角度で色を測定する分光光度計で、モジュールを測定した。視射角における照明を包含する（ＳＣＩ）か、又は排除する（ＳＣＥ）ことができる。ＣＩＥ−Ｌａｂ座標で色値を算出し、かつこれから色度（彩度）及び色調を求めた。また、視射角を含めた色と視射角を排除した色との差を、色差ｄＥ（２０００）で求めた。この測定法は角度安定性の一次評価も与える。
【００９９】
以下の表ＩＩは、既に単層からなる層で飽和色及び明るい色調が得られることを示している。層の厚さは、８０ｎｍ〜３００ｎｍの範囲であった。予想通り、二酸化チタンでは、より明るく、より強く飽和した色調を生成することが可能であった。非常に薄い層（２０〜４０ｎｍ）では、灰色の色調でさえも生成することができる。
【０１００】
【表２】
2021532593.tif 000004
【０１０１】
以下の表ＩＩＩが示すように、わずかにしかパターン化されていないガラス上では、コーティングは、ＳＣＥ測定（視射角の要素なし）で極めて低い明度しかもたらさず、かつｄＥ（２０００）は非常に大きい。大きなピラミッド形のパターンを有する圧延ガラスの平滑な内側にＳｉ３Ｎ４を被覆すると、ｄＥ（２０００）は既に非常に小さく、かつ色の明度と彩度は、視射角を除外しても既に著しく高い。サテンガラスを使用すると、明度が増加し、ｄＥはわずかに増加する。サテンガラスの平滑な内側にＴｉＯ２をコーティングすると、中程度のｄＥ（２０００）で、明度が著しく増加し、とりわけ彩度の著しい増加が得られる。パターン化した面をコーティングし、かつ滑らかな面を外側に向けると、明らかにより高いｄＥがあるが、視射角を除外すると、明度及び飽和は、より低いヘイズを有するガラス上のコーティングよりもさらに著しく高い値を有する。したがって、強い明度及び彩度のために、外側サテンガラスのペインの平滑な内面上へのＴｉＯ２の単層のコーティングが非常に有利であることが示されている。しかしながら、両面がサテンガラスであるガラス上のコーティングも非常に有利である。
【０１０２】
【表３】
2021532593.tif 000005
【０１０３】
変わらない角度安定性での色及び性能の最適化の証拠として、三層からなる層、ＴｉＯ２（２７ｎｍ）／Ｓｉ３Ｎ４（８８ｎｍ）／ＴｉＯ２（１８ｎｍ）を、記載した構造特性を有するサテンカバーガラスの平滑な内面上にコーティングした。これとの比較として、別のカバーガラスの平滑な内面上に単一層からなる層、ＴｉＯ２（１２５ｎｍ）を堆積させた。内側にコーティングを有するこの２つのガラスをさらに処理して、ＣＩＧＳ薄膜モジュールを形成した。青色モジュール両方とも、同等な明度（Ｌ＝３７）及び彩度（ｃ＝２７）を有していた。単一層からなる層を有するモジュールの性能損失は、１６％であったのに対して、三層からなる層を有するモジュールは、わずか９％の性能損失だけであった。
【０１０４】
しかしながら、上に示した例は、適切なパターニングと単層からなる層を有するカバーガラスの使用により、様々な色及び良好な角度安定性を有する着色ソーターモジュールが既に製造可能であることを実証するものである。適度な性能損失は、比較的簡素な製造方法を用いて、低コストで経済的に補償される。
【０１０５】
図１９は、本発明によるソーラーモジュール１を製造するための本発明による方法を示したものである。
【０１０６】
ここで、カバープレートを処理するために、第一の工程（ａ）において、平面の透明カバープレートを提供し、このカバープレートは、外部環境に面することを意図した外面と、反対側の内面とを有する。次に、単一の第２の工程（ｂ１）、（ｂ２）、（ｂ３）、又は（ｂ４）を、以下の４つの（択一的）工程から選択し、かつ実行する。
【０１０７】
（ｂ１）少なくとも一つの領域において外面をパターニングし、かつ内面上に光干渉層を適用する。この場合、外面上にはさらなる光干渉層は適用されない。さらに、内面はパターン化されない。
【０１０８】
（ｂ２）少なくとも一つの領域において外面をパターニングし、少なくとも一つの領域において内面をパターニングし、かつ内面のこのパターン化した領域上に光干渉層を適用する。この場合、外面上にはさらなる光干渉層は適用されない。
【０１０９】
（ｂ３）少なくとも一つの領域において内面をパターニングし、かつ内面のこのパターン化した領域上に光干渉層を適用する。この場合、外面上にはさらなる光干渉層は適用されない。さらに、外面はパターン化されない。
【０１１０】
（ｂ４）少なくとも一つの領域において内面をパターニングし、内面のこのパターン化した領域上に光干渉層を適用し、かつ外面上にさらなる光干渉層を適用する。この場合、外面はパターン化されない。
【０１１１】
本発明は、方向依存性がほとんどないか又は全くない、非常に均一で強い色を有する、改良されたソーラーモジュール、並びにその製造方法を利用可能にする。色生成のための光干渉の使用を通じて、不透明な着色層を使用するのに比べて、下層のソーラーモジュールの著しく少ない効率損失が得られる。本発明は、高効率で高抵抗のカラーソーラーモジュールを製造するための非常に簡単で経済的な方法を提供すること可能にする。
【符号の説明】
【０１１２】
１    ソーラーモジュール
２    基板
３    層構造
４    太陽光線
５    背面電極層
６    吸収体層
７    バッファー層
８    前面電極層
９    接着剤層
１０    カバープレート
１１    外面
１２    太陽電池
１３    内面
１４  モジュール裏面
１５、１５’    パターン化領域
１６、１６’    光干渉層
１７、１７’    セグメント
１９    黒色層
２０    マルチアングル分光光度計
【図１】
2021532593.tif 000006
【図２】
2021532593.tif 000007
【図３】
2021532593.tif 000008
【図４】
2021532593.tif 000009
【図５】
2021532593.tif 000010
【図６】
2021532593.tif 000011
【図７】
2021532593.tif 000012
【図８】
2021532593.tif 000013
【図９】
2021532593.tif 000014
【図１０】
2021532593.tif 000015
【図１１】
2021532593.tif 000016
【図１２】
2021532593.tif 000017
【図１３】
2021532593.tif 000018
【図１４】
2021532593.tif 000019
【図１５】
2021532593.tif 000020
【図１６】
2021532593.tif 000021
【図１７】
2021532593.tif 000022
【図１８】
2021532593.tif 000023
【図１９】
2021532593.tif 000024
【手続補正書】
【提出日】令和3年3月11日(2021.3.11)
【手続補正１】
【補正対象書類名】明細書
【補正対象項目名】０１１１
【補正方法】変更
【補正の内容】
【０１１１】
本発明は、方向依存性がほとんどないか又は全くない、非常に均一で強い色を有する、改良されたソーラーモジュール、並びにその製造方法を利用可能にする。色生成のための光干渉の使用を通じて、不透明な着色層を使用するのに比べて、下層のソーラーモジュールの著しく少ない効率損失が得られる。本発明は、高効率で高抵抗のカラーソーラーモジュールを製造するための非常に簡単で経済的な方法を提供すること可能にする。
本明細書に開示される発明は、以下の態様［１］〜［１６］を含む：
［１］外部環境に面する外面（１１）と、反対側の内面（１３）とを有する透明なカバープレート（１０）を備えた、太陽光発電エネルギー生成のためのソーラーモジュール（１）であって、
所定の波長範囲内の光を反射するための光干渉層（１６）が、前記内面（１３）上に配置されており、
前記内面（１３）及び／又は前記外面（１１）が、それぞれ、少なくとも一つのパターン化領域（１５、１５’）を有しており、
前記外面（１１）が少なくとも一つのパターン化領域（１５）を有するか、又は所定の波長範囲内の光を反射するための別の光干渉層（１６’）が前記外面（１１）上に配置されているかのいずれかであり、
前記パターン化領域（１５、１５’）が、以下の特徴を有する、
ソーラーモジュール：
−  前記パターン化領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  前記パターン化領域（１５、１５’）の少なくとも５０％は、前記カバープレート（１０）の前記平面に対して傾斜する複数のセグメント（１７、１７’）から構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
［２］前記カバープレート（１０）の前記内面（１３）が、パターン化領域を有しておらず、かつ前記外面（１１）が、少なくとも一つのパターン化領域（１５）を有しており、前記外面（１１）上に光干渉層が配置されていない、上記［１］に記載のソーラーモジュール（１）。
［３］前記カバープレート（１０）の前記内面（１３）が、少なくとも一つのパターン化領域（１５）を有しており、かつ前記外面（１１）が、少なくとも一つのパターン化領域（１５’）を有しており、前記外面（１１）上に光干渉層が配置されていない、上記［１］に記載のソーラーモジュール（１）。
［４］前記カバープレート（１０）の前記内面（１３）が、少なくとも一つのパターン化領域（１５）を有しており、かつ前記外面（１１）が、パターン化領域を有しておらず、前記外面（１１）上に光干渉層が配置されていない、上記［１］に記載のソーラーモジュール（１）。
［５］前記カバープレート（１０）の前記内面（１３）が、少なくとも一つのパターン化領域（１５）を有しており、かつ前記外面（１１）が、パターン化領域を有しておらず、前記外面（１１）上に別の光干渉層（１６’）が配置されている、上記［１］に記載のソーラーモジュール（１）。
［６］少なくとも一つの前記光干渉層（１６、１６’）が、正確に１つの屈折層を含み、前記屈折層が、１．７を超え、２．０を超え、又は２．３を超える屈折率ｎを有する、上記［１］〜［５］のいずれか一つに記載のソーラーモジュール（１）。
［７］少なくとも一つの前記光干渉層（１６、１６’）が、正確に２つの屈折層を含み、第１の屈折率ｎ１を有する第１の屈折層が、屈折率ｎｄを有する前記カバープレート（１０）上に配置されており、かつ第２の屈折率ｎ２を有する第２の屈折層が、前記第１の屈折層上に配置されており、前記屈折率の差の絶対値に下記が適用されている、上記［１］〜［６］のいずれか一つに記載のソーラーモジュール（１）：
｜ｎ１−ｎｄ｜＞０．３  及び  ｜ｎ２−ｎ１｜＞０．３
ここで、屈折率ｎ１及びｎ２のうちの少なくとも一方は、１．９を超え、好ましくは２．３を超える。
［８］少なくとも一つの前記光干渉層（１６，１６’）が正確に３つの屈折層を含み、第１の屈折率ｎ１を有する第１の屈折層が、屈折率ｎｄを有する前記カバープレート（１０）上に配置されており、第２の屈折率ｎ２を有する第２の屈折層が、前記第１の屈折層上に配置されており、かつ第３屈折率ｎ３を有する第３屈折層が、前記第２屈折層上に配置されており、前記屈折率の差の絶対値に下記が適用されている、上記［１］〜［７］のいずれか一つに記載のソーラーモジュール（１）：
｜ｎ３−ｎ２｜＞０．３、｜ｎ２−ｎ１｜＞０．３、及び｜ｎ１−ｎｄ｜＞０．３、
ここで、屈折率ｎ１、ｎ２、及びｎ３のうちの少なくとも一つは、１．９を超え、好ましくは２．３を超え、ここで、以下が適用されている：
（ｉ）ｎ１＞ｎ２、及びｎ３＞ｎ２、又は（ｉｉ）ｎ１＜ｎ２、及びｎ３＜ｎ２。
［９］前記パターン化領域（１５、１５’）の少なくとも８０％が、前記カバープレート（１０）の前記平面に対して傾斜した前記セグメント（１７、１７’）から構成されている、上記［１］〜［８］のいずれか一つに記載のソーラーモジュール（１）。
［１０］（ｉ）前記セグメント（１７、１７’）の少なくとも３０％が、０°を超えて最大１５°までの範囲の傾斜角を有し、前記セグメント（１７、１７’）の少なくとも４０％が、１５°を超えて最大４５°までの範囲の傾斜角を有し、かつ前記セグメント（１７、１７’）の１０％未満が、４５°を超える傾斜角を有するか、又は
（ｉｉ）前記セグメント（１７、１７’）の少なくとも４０％が、０°を超えて最大１５°までの範囲の傾斜角を有し、前記セグメント（１７、１７’）の少なくとも５０％が、１５°を超えて最大４５°までの範囲の傾斜角を有し、かつ前記セグメント（１７、１７’）の１０％未満が、４５°を超える傾斜角を有する、
上記［１］〜［９］のいずれか一つに記載のソーラーモジュール（１）。
［１１］少なくとも一つの前記光干渉層（１６、１６’）が、ＴｉＯＸ、ＺｒＯＸ、ＳｉＣ、及びＳｉ３Ｎ４から選択された少なくとも一つの化合物を含む、上記［１］〜［１０］のいずれか一つに記載のソーラーモジュール（１）。
［１２］前記山と谷との間の高さの差の平均が、少なくとも５０μｍ、又は少なくとも１００μｍである、上記［１］〜［１０］のいずれか一つに記載のソーラーモジュール（１）。
［１３］前記カバープレート（１０）が、５０％を超え、特に９０％を超える反射ヘイズを有する、上記［１］〜［１２］のいずれか一つに記載のソーラーモジュール（１）。
［１４］少なくとも一つのパターン化領域（１５、１５’）を有し、かつ黒色の裏面を備えた、コーティングされていない前記カバープレート（１０）が、４５°及び１５°の視野角、並びにそれぞれの視射角から４５°ずれた入射角で、少なくとも１０、少なくとも１５、又は少なくとも２０の反射光の明度Ｌが生じるように実施されている、上記［１］〜［１３］のいずれか一つに記載のソーラーモジュール（１）。
［１５］以下の工程を含む、上記［１］〜［１４］のいずれか一つに記載のソーラーモジュール（１）の製造方法：
（ａ）外部環境に面することを意図した外面（１１）と、反対側の内面（１３）とを有する透明なカバープレート（１０）を提供すること；
（ｂ１）少なくとも一つの領域（１５）において前記外面（１１）をパターニングし、かつ前記内面（１３）上に光干渉層（１６）を適用すること、又は
（ｂ２）少なくとも一つの領域（１５）において前記外面（１１）をパターニングし、少なくとも一つの領域（１５’）において前記内面（１３）をパターニングし、かつ前記内面（１３）のパターン化した前記領域（１５’）上に光干渉層（１６）を適用すること、又は
（ｂ３）少なくとも一つの領域（１５）において前記内面（１３）をパターニングし、かつ前記内面（１３）のパターン化した前記領域（１５）上に光干渉層（１６）を適用すること、又は
（ｂ４）少なくとも一つの領域（１５）において前記内面（１３）をパターニングし、前記内面（１３）のパターン化した前記領域（１５）上に光干渉層（１６）を適用し、かつ前記外面（１１）上にさらなる光干渉層（１６’）を適用すること；
ここで、パターン化した前記領域（１５、１５’）は、以下の特徴を有する：
−  パターン化した前記領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  パターン化した前記領域（１５、１５’）の少なくとも５０％は、前記カバープレート（１０）の前記平面に対して傾斜する複数のセグメント（１７、１７’）で構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
［１６］建物外面又は独立壁の統合部品としての、特に、ウィンドウ、ファサード、又はルーフの構成要素としての、上記［１］〜［１４］のいずれか一つに記載の着色ソーラーモジュール（１）の使用。
【手続補正２】
【補正対象書類名】特許請求の範囲
【補正対象項目名】全文
【補正方法】変更
【補正の内容】
【特許請求の範囲】
【請求項１】
外部環境に面する外面（１１）と、反対側の内面（１３）とを有する透明なカバープレート（１０）を備えた、太陽光発電エネルギー生成のためのソーラーモジュール（１）であって、
前記ソーラーモジュール（１）は、下記の選択肢（ｉ）又は（ｉｉ）を有し：
（ｉ）所定の波長範囲内の光を反射するための光干渉層（１６）が、前記内面（１３）上に配置されており、
前記内面（１３）及び／又は前記外面（１１）が、それぞれ、少なくとも一つのパターン化領域（１５、１５’）を有しており、
前記外面（１１）が少なくとも一つのパターン化領域（１５）を有するか、又は所定の波長範囲内の光を反射するための別の光干渉層（１６’）が前記外面（１１）上に配置されているかのいずれかである、
又は
（ｉｉ）所定の波長範囲内の光を反射するための光干渉層（１６）が、前記内面（１３）上に配置されており、
前記内面（１３）が少なくとも一つのパターン化領域（１５）を有しており、かつ前記外面（１１）がパターン化領域を有しておらず、
前記外面（１１）上に光干渉層が配置されていない；かつ
前記パターン化領域（１５、１５’）が、以下の特徴を有する、
ソーラーモジュール：
−  前記パターン化領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  前記パターン化領域（１５、１５’）の少なくとも５０％は、前記カバープレート（１０）の前記平面に対して傾斜する複数のセグメント（１７、１７’）から構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
【請求項２】
前記カバープレート（１０）の前記内面（１３）が、パターン化領域を有しておらず、かつ前記外面（１１）が、少なくとも一つのパターン化領域（１５）を有しており、前記外面（１１）上に光干渉層が配置されていない、選択肢（ｉ）による請求項１に記載のソーラーモジュール（１）。
【請求項３】
前記カバープレート（１０）の前記内面（１３）が、少なくとも一つのパターン化領域（１５）を有しており、かつ前記外面（１１）が、少なくとも一つのパターン化領域（１５’）を有しており、前記外面（１１）上に光干渉層が配置されていない、選択肢（ｉ）による請求項１に記載のソーラーモジュール（１）。
【請求項４】
前記カバープレート（１０）の前記内面（１３）が、少なくとも一つのパターン化領域（１５）を有しており、かつ前記外面（１１）が、パターン化領域を有しておらず、前記外面（１１）上に別の光干渉層（１６’）が配置されている、選択肢（ｉ）による請求項１に記載のソーラーモジュール（１）。
【請求項５】
少なくとも一つの前記光干渉層（１６、１６’）が、正確に１つの屈折層を含み、前記屈折層が、１．７を超え、２．０を超え、又は２．３を超える屈折率ｎを有する、請求項１〜４のいずれか一項に記載のソーラーモジュール（１）。
【請求項６】
少なくとも一つの前記光干渉層（１６、１６’）が、正確に２つの屈折層を含み、第１の屈折率ｎ１を有する第１の屈折層が、屈折率ｎｄを有する前記カバープレート（１０）上に配置されており、かつ第２の屈折率ｎ２を有する第２の屈折層が、前記第１の屈折層上に配置されており、前記屈折率の差の絶対値に下記が適用されている、請求項１〜５のいずれか一項に記載のソーラーモジュール（１）：
｜ｎ１−ｎｄ｜＞０．３  及び  ｜ｎ２−ｎ１｜＞０．３
ここで、屈折率ｎ１及びｎ２のうちの少なくとも一方は、１．９を超え、好ましくは２．３を超える。
【請求項７】
少なくとも一つの前記光干渉層（１６，１６’）が正確に３つの屈折層を含み、第１の屈折率ｎ１を有する第１の屈折層が、屈折率ｎｄを有する前記カバープレート（１０）上に配置されており、第２の屈折率ｎ２を有する第２の屈折層が、前記第１の屈折層上に配置されており、かつ第３屈折率ｎ３を有する第３屈折層が、前記第２屈折層上に配置されており、前記屈折率の差の絶対値に下記が適用されている、請求項１〜６のいずれか一項に記載のソーラーモジュール（１）：
｜ｎ３−ｎ２｜＞０．３、｜ｎ２−ｎ１｜＞０．３、及び｜ｎ１−ｎｄ｜＞０．３、
ここで、屈折率ｎ１、ｎ２、及びｎ３のうちの少なくとも一つは、１．９を超え、好ましくは２．３を超え、ここで、以下が適用されている：
（ｉ）ｎ１＞ｎ２、及びｎ３＞ｎ２、又は（ｉｉ）ｎ１＜ｎ２、及びｎ３＜ｎ２。
【請求項８】
前記パターン化領域（１５、１５’）の少なくとも８０％が、前記カバープレート（１０）の前記平面に対して傾斜した前記セグメント（１７、１７’）から構成されている、請求項１〜７のいずれか一項に記載のソーラーモジュール（１）。
【請求項９】
（ｉ）前記セグメント（１７、１７’）の少なくとも３０％が、０°を超えて最大１５°までの範囲の傾斜角を有し、前記セグメント（１７、１７’）の少なくとも４０％が、１５°を超えて最大４５°までの範囲の傾斜角を有し、かつ前記セグメント（１７、１７’）の１０％未満が、４５°を超える傾斜角を有するか、又は
（ｉｉ）前記セグメント（１７、１７’）の少なくとも４０％が、０°を超えて最大１５°までの範囲の傾斜角を有し、前記セグメント（１７、１７’）の少なくとも５０％が、１５°を超えて最大４５°までの範囲の傾斜角を有し、かつ前記セグメント（１７、１７’）の１０％未満が、４５°を超える傾斜角を有する、
請求項１〜８のいずれか一項に記載のソーラーモジュール（１）。
【請求項１０】
少なくとも一つの前記光干渉層（１６、１６’）が、ＴｉＯＸ、ＺｒＯＸ、ＳｉＣ、及びＳｉ３Ｎ４から選択された少なくとも一つの化合物を含む、請求項１〜９のいずれか一項に記載のソーラーモジュール（１）。
【請求項１１】
前記山と谷との間の高さの差の平均が、少なくとも５０μｍ、又は少なくとも１００μｍである、請求項１〜９のいずれか一項に記載のソーラーモジュール（１）。
【請求項１２】
前記カバープレート（１０）が、５０％を超え、特に９０％を超える反射ヘイズを有する、請求項１〜１１のいずれか一項に記載のソーラーモジュール（１）。
【請求項１３】
少なくとも一つのパターン化領域（１５、１５’）を有し、かつ黒色の裏面を備えた、コーティングされていない前記カバープレート（１０）が、４５°及び１５°の視野角、並びにそれぞれの視射角から４５°ずれた入射角で、少なくとも１０、少なくとも１５、又は少なくとも２０の反射光の明度Ｌが生じるように実施されている、請求項１〜１２のいずれか一項に記載のソーラーモジュール（１）。
【請求項１４】
以下の工程を含む、請求項１〜１３のいずれか一項に記載のソーラーモジュール（１）の製造方法：
（ａ）外部環境に面することを意図した外面（１１）と、反対側の内面（１３）とを有する透明なカバープレート（１０）を提供すること；
（ｂ）請求項１に記載の選択肢（ｉ）によるソーラーモジュール（１）のための下記の工程（ｂ１）〜（ｂ３）のいずれか一つ：
（ｂ１）少なくとも一つの領域（１５）において前記外面（１１）をパターニングし、かつ前記内面（１３）上に光干渉層（１６）を適用すること、又は
（ｂ２）少なくとも一つの領域（１５）において前記外面（１１）をパターニングし、少なくとも一つの領域（１５’）において前記内面（１３）をパターニングし、かつ前記内面（１３）のパターン化した前記領域（１５’）上に光干渉層（１６）を適用すること、又は
（ｂ３）少なくとも一つの領域（１５）において前記内面（１３）をパターニングし、前記内面（１３）のパターン化した前記領域（１５）上に光干渉層（１６）を適用し、かつ前記外面（１１）上にさらなる光干渉層（１６’）を適用すること、
あるいは、
（ｂ）請求項１に記載の選択肢（ｉｉ）によるソーラーモジュール（１）のための下記の工程：
少なくとも一つの領域（１５）において前記内面（１３）をパターニングし、かつ前記内面（１３）のパターン化した前記領域（１５）上に光干渉層（１６）を適用すること、ここで、前記外面（１１）はパターニングされておらず、かつ前記外面（１１）上には光干渉層が適用されていない；
ここで、パターン化した前記領域（１５、１５’）は、以下の特徴を有する：
−  パターン化した前記領域（１５、１５’）が、前記カバープレート（１０）の平面に対して垂直に、山と谷とを有する高さプロファイルを有し、ここで、前記山と谷との間の高さの差の平均が、少なくとも２μｍであり、
−  パターン化した前記領域（１５、１５’）の少なくとも５０％は、前記カバープレート（１０）の前記平面に対して傾斜する複数のセグメント（１７、１７’）で構成されており、前記カバープレート（１０）の前記平面を基準にして、前記セグメント（１７、１７’）の少なくとも２０％が、０°を超えて最大１５°までの範囲の傾斜角を有し、かつ前記セグメント（１７、１７’）の少なくとも３０％が、１５°を超えて最大４５°までの範囲の傾斜角を有し、ここで、
−  前記内面（１３）が、少なくとも一つの前記パターン化領域（１５’）を有するときに、前記内面（１３）の前記パターン化領域（１５’）の前記セグメント（１７、１７’）は、それぞれ平面であり、少なくとも１μｍ２のセグメント面積を有し、かつ前記内面（１３）上の前記光干渉層（１６）の層厚の１５％未満の平均粗さを有する。
【請求項１５】
建物外面又は独立壁の統合部品としての、特に、ウィンドウ、ファサード、又はルーフの構成要素としての、請求項１〜１３のいずれか一項に記載の着色ソーラーモジュール（１）の使用。
【国際調査報告】
2021532593.tif 000025
2021532593.tif 000026